(57)【要約】【課題】キャリアアグリゲーション時において、効率的にハンドオーバを行うことにより、システムの効率化、及び、接続性の安定性を実現する。【解決手段】本発明に係る移動局ＵＥは、２つ以上のキャリア内の各キャリアに関して、通信中のセル又は隣接セルの無線品質を測定する測定部１０２と、２つ以上のキャリア内の各キャリアに関して、測定部１０２における測定結果を無線基地局ｅＮＢに通知するべきか否かについて判定する判定部１０４と、判定部１０４が、測定部１０２における測定結果を無線基地局ｅＮＢに通知すべきであると判定した場合に、測定部１０２における測定結果を無線基地局ｅＮＢに送信する送信部１０６とを具備し、送信部１０６は、判定部１０４によって測定部１０２における測定結果を無線基地局ｅＮＢに通知すると判定されたキャリアに関する測定結果に加えて、キャリア以外のキャリアに関する測定結果を送信する。【選択図】図９
2011166713.tif 000002
【特許請求の範囲】
【請求項１】
２つ以上のキャリアを用いて無線基地局と通信を行う移動局であって、
前記２つ以上のキャリア内の各キャリアに関して、通信中のセル又は隣接セルの無線品質を測定するように構成されている測定部と、
前記２つ以上のキャリア内の各キャリアに関して、前記測定部における測定結果を前記無線基地局に通知するか否かについて判定するように構成されている判定部と、
前記判定部が、前記測定部における測定結果を前記無線基地局に通知すると判定した場合に、前記測定部における測定結果を前記無線基地局に送信するように構成されている送信部とを具備し、
前記送信部は、前記判定部によって前記測定部における測定結果を前記無線基地局に通知すると判定されたキャリアに関する測定結果に加えて、前記キャリア以外のキャリアに関する測定結果を送信するように構成されていることを特徴とする移動局。
【請求項２】
前記無線品質は、リファレンス信号の受信電力、リファレンス信号の受信品質、リファレンス信号のＳＩＲ、Ｃｈａｎｎｅｌ  Ｑｕａｌｉｔｙ  Ｉｎｄｉｃａｔｏｒ、Ｃｈａｎｎｅｌ  Ｓｔａｔｅ  Ｉｎｆｏｒｍａｔｉｏｎの少なくとも１つであることを特徴とする請求項１に記載の移動局。
【請求項３】
前記判定部は、
隣接セルの無線品質が、通信中のセルの無線品質よりも所定のオフセット分だけ良くなった場合、或いは、
通信中のセルの無線品質が第１閾値よりも良くなった場合、或いは、
通信中のセルの無線品質が第２閾値よりも悪くなった場合、或いは、
隣接セルの無線品質が第５閾値よりも良くなった場合、或いは、
隣接セルの無線品質が、通信中のセルの無線品質が第３閾値よりも悪くなり、かつ、隣接セルの無線品質が第４閾値よりも良くなった場合、或いは、
測定結果を周期的に送信する場合の送信タイミングである場合の少なくとも１つの場合に、
前記測定部における測定結果を、前記無線基地局に通知すると判定するように構成されていることを特徴とする請求項１に記載の移動局。
【請求項４】
前記送信部は、前記判定部によって前記測定部における測定結果を前記無線基地局に通知すると判定されたキャリア以外のキャリアに関する測定結果として、所定数のセルのＩＤ及び前記セルの無線品質を、無線品質が良い順番に送信するように構成されていることを特徴とする請求項１に記載の移動局。
【請求項５】
前記判定部によって前記測定部における測定結果を前記無線基地局に通知すると判定されたキャリア以外のキャリアが複数存在する場合に、前記送信部は、各キャリアに関して、所定数のセルのＩＤ及び前記セルの無線品質を、無線品質が良い順番に送信するように構成されていることを特徴とする請求項１に記載の移動局。
【請求項６】
前記判定部によって前記測定部における測定結果を前記無線基地局に通知すると判定されたキャリア以外のキャリアが複数存在する場合に、前記送信部は、全てのキャリアに関して、所定数のセルのＩＤ及び前記セルの無線品質を、無線品質が良い順番に送信するように構成されていることを特徴とする請求項１に記載の移動局。
【請求項７】
前記所定数は、前記無線基地局より、前記移動局に対して通知されることを特徴とする請求項４に記載の移動局。
【請求項８】
前記判定部によって前記測定部における測定結果を前記無線基地局に通知すると判定されたキャリア以外のキャリアは、前記無線基地局より、前記移動局に対して指定されることを特徴とする請求項１に記載の移動局。
【請求項９】
前記送信部は、前記判定部によって前記測定部における測定結果を前記無線基地局に通知すると判定されたキャリア以外のキャリアに関する測定結果として、キャリアアグリゲーションにより通信中であるセルのＩＤ及び前記セルの無線品質を送信するように構成されていることを特徴とする請求項１に記載の移動局。
【請求項１０】
２つ以上のキャリアを用いて移動局と通信を行う無線基地局であって、
前記移動局に対して、通信中のセル又は隣接セルの無線品質の測定を指示する制御信号を送信するように構成されている測定指示部と、
前記移動局から、前記２つ以上のキャリア内の各キャリアに関する測定結果を受信するように構成されている受信部とを具備し、
前記測定結果には、前記無線基地局に通知されると判定されたキャリアに関する測定結果に加えて、前記キャリア以外のキャリアに関する測定結果が含まれることを特徴とする無線基地局。
【請求項１１】
前記測定指示部は、
隣接セルの無線品質が、通信中のセルの無線品質よりも所定のオフセット分だけ良くなった場合、或いは、
通信中のセルの無線品質が第１閾値よりも良くなった場合、或いは、
通信中のセルの無線品質が第２閾値よりも悪くなった場合、或いは、
隣接セルの無線品質が第５閾値よりも良くなった場合、或いは、
隣接セルの無線品質が、通信中のセルの無線品質が第３閾値よりも悪くなり、かつ、隣接セルの無線品質が第４閾値よりも良くなった場合、或いは、
測定結果を周期的に送信する場合の送信タイミングである場合の少なくとも１つの場合に、
前記測定部における測定結果を前記無線基地局に通知することを、前記移動局ＵＥに対して指示するように構成されていることを特徴とする請求項１０に記載の無線基地局。
【請求項１２】
前記測定結果には、前記無線基地局に通知されると判定されたキャリア以外のキャリアに関する測定結果として、所定数のセルのＩＤ及び前記セルの無線品質が、無線品質が良い順番に含まれることを特徴とする請求項１０に記載の無線基地局。
【請求項１３】
前記無線基地局に通知されると判定されたキャリア以外のキャリアが複数存在する場合に、各キャリアに関して、所定数のセルのＩＤ及び前記セルの無線品質が、無線品質が良い順番に含まれることを特徴とする請求項１０に記載の無線基地局。
【請求項１４】
前記無線基地局に通知されると判定されたキャリア以外のキャリアが複数存在する場合に、全てのキャリアに関して、所定数のセルのＩＤ及び前記セルの無線品質が、無線品質が良い順番に含まれることを特徴とする請求項１０に記載の無線基地局。
【請求項１５】
前記測定指示部は、前記所定数を前記移動局に対して通知するように構成されていることを特徴とする請求項１２に記載の無線基地局。
【請求項１６】
前記測定指示部は、前記無線基地局に通知されると判定されたキャリア以外のキャリアを、前記移動局に対して指定するように構成されていることを特徴とする請求項１０に記載の無線基地局。
【請求項１７】
前記測定結果には、前記無線基地局に通知されると判定されたキャリア以外のキャリアに関する測定結果として、キャリアアグリゲーションにより通信中であるセルのＩＤ及び前記セルの無線品質が含まれることを特徴とする請求項１０に記載の無線基地局。
【請求項１８】
２つ以上のキャリアを用いて無線基地局と通信を行う移動局における通信制御方法であって、
前記２つ以上のキャリア内の各キャリアに関して、通信中のセル又は隣接セルの無線品質を測定する第１ステップと、
前記２つ以上のキャリア内の各キャリアに関して、前記測定部における測定結果を、前記無線基地局に通知するか否かを判定する第２ステップと、
前記測定結果を前記無線基地局に通知すると判定された場合に、前記測定結果を前記無線基地局に送信する第３ステップとを備え、
前記第３ステップにおいて、前記測定結果を前記無線基地局に通知すると判定されたキャリアに関する測定結果に加えて、前記キャリア以外のキャリアに関する測定結果を送信することを特徴とする通信制御方法。
【請求項１９】
２つ以上のキャリアを用いて移動局と通信を行う無線基地局における通信制御方法であって、
前記移動局に対して、通信中のセル又は隣接セルの無線品質の測定を指示する制御信号を送信する第１ステップと、
前記移動局から、前記２つ以上のキャリア内の各キャリアに関する測定結果を受信する第２ステップとを備え、
前記第２ステップにおいて、前記測定結果に前記無線基地局に通知されると判定されたキャリアに関する測定結果に加えて、前記キャリア以外のキャリアに関する測定結果が含まれることを特徴とする通信制御方法。
【請求項２０】
２つ以上のキャリアを用いて無線基地局と通信を行う移動局であって、
前記２つ以上のキャリア内の各キャリアに関して、通信中のセル又は隣接セルの無線品質を測定するように構成されている測定部と、
前記ハンドオーバ元の無線基地局からハンドオーバを指示する制御信号を受信するように構成されている受信部と、
前記ハンドオーバ先の無線基地局からハンドオーバを完了したことを通知する制御信号を送信するように構成されている送信部とを具備し、
前記送信部は、前記制御信号に加えて、ハンドオーバを行うキャリア以外のキャリアに関する測定結果を送信することを特徴とする移動局。
【発明の詳細な説明】
【技術分野】
【０００１】
本発明は、移動局、無線基地局及び通信制御方法に関する。
【背景技術】
【０００２】
広帯域符号分割多重接続（ＷＣＤＭＡ：Ｗｉｄｅｂａｎｄ  Ｃｏｄｅ  Ｄｉｖｉｓｉｏｎ  Ｍｕｌｔｉｐｌｅｘｉｎｇ  Ａｃｃｅｓｓ）方式や、高速下りリンクパケットアクセス（ＨＳＤＰＡ：Ｈｉｇｈ-Ｓｐｅｅｄ  Ｄｏｗｎｌｉｎｋ  Ｐｃｋｅｔ  Ａｃｃｅｓｓ）方式や、高速上りリンクパケットアクセス（ＨＳＵＰＡ：Ｈｉｇｈ-Ｓｐｅｅｄ  Ｕｐｌｉｎｋ  Ｐｃｋｅｔ  Ａｃｃｅｓｓ）方式等の後継となる通信方式、すなわち、ロングタームエボリューション（ＬＴＥ：Ｌｏｎｇ  Ｔｅｒｍ  Ｅｖｏｌｕｔｉｏｎ）方式が、ＷＣＤＭＡの標準化団体３ＧＰＰで検討され、仕様化作業が行われた。
【０００３】
また、前記ＬＴＥ方式の後継の通信方式として、ＬＴＥ-ａｄｖａｎｃｅｄ方式が、３ＧＰＰで検討されている。ＬＴＥ-ａｄｖａｎｃｅｄ方式の要求条件は、非特許文献１にまとめられている。
【０００４】
ＬＴＥ-ａｄｖａｎｃｅｄ方式では、その要求条件として、「キャリアアグリゲーション（Ｃａｒｒｉｅｒ  ａｇｇａｒｅｇａｔｉｏｎ）」を行うことが合意されている。「キャリアアグリゲーション」が行われる場合、移動局ＵＥは、同時に複数のキャリアを用いて下りリンクの信号を受信したり、同時に複数のキャリアを用いて上りリンクの信号を送信したりすることができる。キャリアアグリゲーションが行われる場合の各キャリアは、コンポーネントキャリア（Ｃｏｍｐｏｎｅｎｔ  Ｃａｒｒｉｅｒ）と呼ばれる。
【０００５】
ところで、複数のセルを具備する移動通信システムでは、移動局ＵＥ（Ｕｓｅｒ  Ｅｑｕｉｐｍｅｎｔ：ユーザ装置）は、１つのセルから他のセルに移動するときに、セルを切り替えて通信を継続するように構成されている。かかるセルの切り替えを「ハンドオーバ」という。
【０００６】
一般的に、移動通信システムでは、移動局ＵＥが、隣接セルに移動し、かかる移動局ＵＥにおいて、隣接セルからの信号の無線品質が、サービングセル（Ｓｅｒｖｉｎｇ  Ｃｅｌｌ）からの信号の無線品質よりも強くなった場合に、当該移動局ＵＥは、隣接セルにハンドオーバを行うように構成されている。
【０００７】
なお、前記信号の無線品質として、例えば、信号の受信電力が用いられる。ここで、前記信号の受信電力は、より具体的には、例えば、隣接セル又はサービングセルから送信される、下りリンクの参照信号（Ｒｅｆｅｒｅｎｃｅ  Ｓｉｇｎａｌ）の受信電力（ＲＳＲＰ：Ｒｅｆｅｒｅｎｃｅ  Ｓｉｇｎａｌ  Ｒｅｃｅｉｖｅｄ  Ｐｏｗｅｒ）である（ＲＳＲＰの定義については、非特許文献２ＴＳ３６.２１４、Ｖ８.３.０を参照）。なお、前記信号の無線品質として、前記ＲＳＲＰの代わりに、下りリンクの参照信号の受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）や下りリンクの参照信号のＳＩＲ（ＲＳ-ＳＩＲ）、ＣＱＩ（Ｃｈａｎｎｅｌ  Ｑｕａｌｉｔｙ  Ｉｎｄｉｃａｔｏｒ）、ＣＳＩ（Ｃｈａｎｎｅｌ  Ｓｔａｔｅ  Ｉｎｆｏｒｍａｔｉｏｎ）等が用いられることもある。
【０００８】
図１及び図２を参照して、かかるハンドオーバ手順の一例について、具体的に説明する。以下の説明では、信号の受信電力（ＲＳＲＰ）が、前記信号の無線品質として用いられる。
【０００９】
図１に示すように、ステップＳ１において、移動局ＵＥは、サービングセル及び隣接セルからの信号の受信電力を測定する。また、移動局ＵＥは、検知していない隣接セルを検知するために、前記測定と並行して、セルサーチを行ってもよい。本処理における、セルサーチ、及び、サービングセル及び隣接セルの無線品質（受信電力）の測定は、総称して、メジャメント（Ｍｅａｓｕｒｅｍｅｎｔ）と呼ばれてもよい。
【００１０】
ステップＳ２において、移動局ＵＥは、隣接セルからの信号の受信電力が、以下の（式１）を満たすか否かについて判定する。
【００１１】
隣接セルからの信号の受信電力  ＋  ヒステリシス  ＞  サービングセルからの信号の受信電力  …  （式１）
かかる（式１）が満たされていると判定された場合、ステップＳ２において、移動局ＵＥは、上述の測定結果を報告するためのイベントＡ３を、ネットワークに対して通知する。
【００１２】
具体的には、移動局ＵＥは、図２に示すように、サービングセル（セルＡ）及び監視対象である周辺セル（セルＢ）からの信号の受信電力を測定し、予め通知されている「ヒステリシス［ｄＢ］」及び「ＴＴＴ（Ｔｉｍｅ  Ｔｏ  Ｔｒｉｇｇｅｒ）［ｍｓ］」を用いて、上述の測定結果を通知するか否かについて判定する。
【００１３】
つまり、図２において、所定期間「ＴＴＴ」以上、セルＢからの信号の受信電力（無線品質）が、「ヒステリシス」以上、セルＡからの信号の受信電力（無線品質）よりも上回っている状態が継続している場合、移動局ＵＥは、上述の測定結果（Ｍｅａｓｕｒｅｍｅｎｔ  ｒｅｐｏｒｔ）を通知するべきであると判定する。
【００１４】
ここで、「ヒステリシス」は、セル境界でサービングセルから隣接セルへのハンドオーバが頻繁に生じないために設けられる値であり、正の値でもよく、負の値でもよいが、一般的には負の値が設定される。
【００１５】
そして、ステップＳ３において、ネットワークは、イベントＡ３の通知を受信すると、かかる移動局ＵＥが、受信したイベントＡ３に係るセルに対してハンドオーバすべきであることを決定する。
【００１６】
なお、（式１）は、以下の（式２）のような形がとられる場合もある。（式２）の場合、ヒステリシス及びオフセットの両方が、ヒステリシス的に動作する。
【００１７】
隣接セルからの信号の受信電力  ―  ヒステリシス  ＞  サービングセルからの信号の受信電力  ＋  オフセット  …  （式２）
キャリアアグリゲーションを行う場合、一般に、移動局ＵＥは、各コンポーネントキャリアに関して、上述したサービングセル及び隣接セルからの信号の受信電力の測定やＭｅａｓｕｒｅｍｅｎｔ  ｒｅｐｏｒｔの送信を行う。
【先行技術文献】
【非特許文献】
【００１８】
【非特許文献１】３ＧＰＰ  ＴＳ３６.９１３（Ｖ８.０.１）
【非特許文献２】３ＧＰＰ  ＴＳ３６.３００  Ｖ８.５.０（２００８-０５）
【発明の概要】
【発明が解決しようとする課題】
【００１９】
上述したように、キャリアアグリゲーションを行う場合には、各コンポーネントキャリアに関して、上述したサービングセル及び隣接セルからの信号の無線品質の測定やＭｅａｓｕｒｅｍｅｎｔ  ｒｅｐｏｒｔの送信が行われる。
【００２０】
しかしながら、各コンポーネントキャリアに関して、上述したサービングセル及び隣接セルからの信号の無線品質の測定やＭｅａｓｕｒｅｍｅｎｔ  ｒｅｐｏｒｔの送信が行われる場合、Ｍｅａｓｕｒｅｍｅｎｔ  ｒｅｐｏｒｔの数が、コンポーネントキャリア数分だけ増えるため、制御信号のオーバヘッドが増大し、結果として、システムの効率が劣化するという問題がある。
【００２１】
より具体的に、図３を用いて、上述の課題について説明する。図３においては、横軸は、移動局ＵＥの位置を示す軸であり、縦軸は、周波数或いはキャリアを示す軸である。
【００２２】
すなわち、図３の「コンポーネントキャリアが２つの場合」においては、上段のセルが、コンポーネントキャリア＃１のセル（Ｃｅｌｌ＃１-Ａ、Ｃｅｌｌ＃１-Ｂ、Ｃｅｌｌ＃１-Ｃ、Ｃｅｌｌ＃１-Ｄ）を示し、下段のセルが、コンポーネントキャリア＃２のセル（Ｃｅｌｌ＃２-Ａ、Ｃｅｌｌ＃２-Ｂ、Ｃｅｌｌ＃２-Ｃ、Ｃｅｌｌ＃２-Ｄ）を示す。
【００２３】
例えば、図３に示すように、コンポーネントキャリアが１つである場合に比べて、コンポーネントキャリアが２つである場合に、Ｍｅａｓｕｒｅｍｅｎｔ  ｒｅｐｏｒｔの数が２倍になる。
【００２４】
また、一般に、キャリアアグリゲーションが行われる複数のセルは、同一の無線基地局内に閉じており、複数の無線基地局からのセルを用いたキャリアアグリゲーションは行われない。
【００２５】
この場合、無線基地局間のハンドオーバを行う場合には、適切にハンドオーバを行わなければ、通信品質が劣化する、或いは、通品品質を最適化できないという問題がある。
【００２６】
より具体的には、無線基地局間のハンドオーバを行う場合には、キャリアアグリゲーションを行っている全てのコンポーネントキャリアを考慮したハンドオーバが必要となるため、各コンポーネントキャリアに関して、信号の無線品質の測定及びＭｅａｓｕｒｅｍｅｎｔ  ｒｅｐｏｒｔの送信を行った場合に、その他のコンポーネントキャリアの通信品質が劣化し、結果として、システムの効率利用が困難となるという課題がある。
【００２７】
さらに、より具体的に、図４を用いて、上述の課題について説明する。図４においても、横軸は、移動局ＵＥの位置を示す軸であり、縦軸は、周波数或いはキャリアを示す軸である。
【００２８】
また、Ｃｅｌｌ＃１-Ａ、Ｃｅｌｌ＃１-Ｂ、Ｃｅｌｌ＃２-Ａ、Ｃｅｌｌ＃２-Ｂが、無線基地局＃ａに属しているセルであり、Ｃｅｌｌ＃１-Ｃ、Ｃｅｌｌ＃２-Ｄ、Ｃｅｌｌ＃２-Ｃが、無線基地局＃ｂに属しているセルである。
【００２９】
図４に示す例では、コンポーネントキャリア＃１に関する無線基地局＃ａから無線基地局＃ｂへのハンドオーバポイントは、Ｐｏｉｎｔ１０であり、コンポーネントキャリア＃２に関する無線基地局＃ａから無線基地局＃ｂへのハンドオーバポイントは、Ｐｏｉｎｔ２０であるため、コンポーネントキャリア＃１とコンポーネントキャリア＃２とで、無線基地局間のハンドオーバを行うポイントが異なる。
【００３０】
この場合、Ｐｏｉｎｔ１０において、移動局ＵＥがコンポーネントキャリア＃１に関するハンドオーバ（Ｃｅｌｌ＃１-ＢからＣｅｌｌ＃１-Ｃへのハンドオーバ）を行う場合に、Ｃｅｌｌ＃２-Ｂとの接続が削除される必要がある。
【００３１】
この場合、Ｃｅｌｌ＃２-Ｂとの接続が削除される代わりに、Ｃｅｌｌ＃２-Ｃとの接続が追加されてもよいが、Ｃｅｌｌ＃２-Ｃの無線品質が良くない場合には、逆に、通信品質が劣化してしまう場合がある。
【００３２】
或いは、Ｐｏｉｎｔ１０において、移動局ＵＥがコンポーネントキャリア＃１に関するハンドオーバ（Ｃｅｌｌ＃１-ＢからＣｅｌｌ＃１-Ｃへのハンドオーバ）を行う代わりに、Ｃｅｌｌ＃１-Ｂとの接続が削除され、Ｃｅｌｌ＃２-Ｂとの接続が継続されてもよい。
【００３３】
しかしながら、Ｃｅｌｌ＃１-Ｂとの接続が維持されるべきか、Ｃｅｌｌ＃２-Ｂとの接続が削除されるべきかは、例えば、無線品質で判断されるべきだが、各コンポーネントキャリアに関して、サービングセル及び隣接セルからの信号の無線品質の測定やＭｅａｓｕｒｅｍｅｎｔ  ｒｅｐｏｒｔの送信が行われる場合には、適切なタイミングで関連する複数のコンポーネントキャリアの無線品質の測定を行うことは困難である。
【００３４】
そこで、本発明は、上述の課題に鑑みてなされたものであり、キャリアアグリゲーション時において、効率的にハンドオーバを行うことにより、システムの効率化、及び、接続性の安定性を実現することができる移動局、無線基地局及び通信制御方法を提供することを目的とする。
【課題を解決するための手段】
【００３５】
本実施形態の第１の特徴は、２つ以上のキャリアを用いて無線基地局と通信を行う移動局であって、前記２つ以上のキャリア内の各キャリアに関して、通信中のセル又は隣接セルの無線品質を測定するように構成されている測定部と、前記２つ以上のキャリア内の各キャリアに関して、前記測定部における測定結果を前記無線基地局に通知するか否かについて判定するように構成されている判定部と、前記判定部が、前記測定部における測定結果を前記無線基地局に通知すると判定した場合に、前記測定部における測定結果を前記無線基地局に送信するように構成されている送信部とを具備し、前記送信部は、前記判定部によって前記測定部における測定結果を前記無線基地局に通知すると判定されたキャリアに関する測定結果に加えて、前記キャリア以外のキャリアに関する測定結果を送信することを要旨とする。
【００３６】
本実施形態の第２の特徴は、２つ以上のキャリアを用いて移動局と通信を行う無線基地局であって、前記移動局に対して、通信中のセル又は隣接セルの無線品質の測定を指示する制御信号を送信するように構成されている測定指示部と、前記移動局から、前記２つ以上のキャリア内の各キャリアに関する測定結果を受信するように構成されている受信部とを具備し、前記測定結果には、該無線基地局に通知されると判定されたキャリアに関する測定結果に加えて、前記キャリア以外のキャリアに関する測定結果が含まれることを要旨とする。
【００３７】
本実施形態の第３の特徴は、２つ以上のキャリアを用いて無線基地局と通信を行う移動局における通信制御方法であって、前記２つ以上のキャリア内の各キャリアに関して、通信中のセル又は隣接セルの無線品質を測定する第１ステップと、前記２つ以上のキャリア内の各キャリアに関して、前記測定部における測定結果を前記無線基地局に通知するか否かについて判定する第２ステップと、前記判定部が、前記測定部における測定結果を前記無線基地局に通知すると判定した場合に、前記測定部における測定結果を前記無線基地局に送信する第３ステップとを備え、前記第３ステップにおいて、前記判定部によって前記測定部における測定結果を前記無線基地局に通知すると判定されたキャリアに関する測定結果に加えて、前記キャリア以外のキャリアに関する測定結果が送信されることを要旨とする。
【００３８】
本実施形態の第４の特徴は、２つ以上のキャリアを用いて移動局と通信を行う無線基地局における通信制御方法であって、前記移動局に対して、通信中のセル又は隣接セルの無線品質の測定を指示する制御信号を送信する第１ステップと、前記移動局から、前記２つ以上のキャリア内の各キャリアに関する測定結果を受信する第２ステップとを備え、前記第２ステップにおいて、前記測定結果に、該無線基地局に通知されると判定されたキャリアに関する測定結果に加えて、前記キャリア以外のキャリアに関する測定結果が含まれることを要旨とする。
【００３９】
本実施形態の第５の特徴は、２つ以上のキャリアを用いて無線基地局と通信を行う移動局であって、前記２つ以上のキャリア内の各キャリアに関して、通信中のセル又は隣接セルの無線品質を測定するように構成されている測定部と、前記ハンドオーバ元の無線基地局からハンドオーバを指示する制御信号を受信するように構成されている受信部と、前記ハンドオーバ先の無線基地局からハンドオーバを完了したことを通知する制御信号を送信するように構成されている送信部とを具備し、前記送信部は、前記制御信号に加えて、ハンドオーバを行うキャリア以外のキャリアに関する測定結果を送信することを要旨とする。
【発明の効果】
【００４０】
以上説明したように、本発明によれば、キャリアアグリゲーション時において、効率的にハンドオーバを行うことにより、システムの効率化、及び、接続性の安定性を実現することができる移動局、無線基地局及び通信制御方法を提供することができる。
【図面の簡単な説明】
【００４１】
【図１】従来の移動通信システムについて説明するための図である。
【図２】従来の移動通信システムについて説明するための図である。
【図３】従来の移動通信システムおける課題について説明するための図である。
【図４】従来の移動通信システムおける課題について説明するための図である。
【図５】本発明の第１の実施形態に係る移動通信システムの構成図の一例を示す図である。
【図６】本発明の第１の実施形態に係る移動通信システムの構成図の一例を示す図である。
【図７】本発明の第１の実施形態に係る移動通信システムの構成図の一例を示す図である。
【図８】本発明の第１の実施形態に係る移動通信システムの構成図の一例を示す図である。
【図９】本発明の第１の実施形態に係る移動局ＵＥの機能ブロック図である。
【図１０】本発明の第１の実施形態に係る無線基地局ｅＮＢの機能ブロック図である。
【図１１】本発明の第１の実施形態の移動局ＵＥにおける通信制御方法を示すフローチャート図である。
【図１２】本発明の第１の実施形態の無線基地局ｅＮＢにおける通信制御方法を示すフローチャート図である。
【図１３】本発明の第１の実施形態の効果を説明するための図である。
【図１４】本発明の第１の実施形態の効果を説明するための図である。
【発明を実施するための形態】
【００４２】
（本発明の第１の実施形態に係る移動通信システムの構成）
以下、本発明の第１の実施形態に係る移動通信システムについて、図面を参照しつつ説明する。本実施形態を説明するための全図において、同一機能を有するものは同一符号を用い、繰り返しの説明は省略する。
【００４３】
本実施形態に係る移動通信システムは、例えば、ＬＴＥ-Ａｄｖａｎｃｅｄ方式が適用されるシステムである。すなわち、本実施形態に係る移動通信システムは、無線基地局ｅＮＢと、無線基地局ｅＮＢと通信する移動局ＵＥとを具備し、無線基地局ｅＮＢ及び移動局ＵＥは、ＬＴＥ-Ａｄｖａｎｃｅｄ方式を用いて、通信を行う。なお、移動局ＵＥは、ユーザ装置と呼ばれてもよい。
【００４４】
ＬＴＥ-Ａｄｖａｎｃｅｄ方式が適用される場合には、「キャリアアグリゲーション（Ｃａｒｒｉｅｒ Ａｇｇｒｅｇａｔｉｏｎ）」が適用されてもよい。すなわち、上りリンク又は下りリンクにおいて、「Ｃｏｍｐｏｎｅｎｔ  Ｃａｒｒｉｅｒ（コンポーネントキャリア）」を複数用いた通信が行われる。
【００４５】
ここで、「Ｃｏｍｐｏｎｅｎｔ  Ｃａｒｒｉｅｒ」とは、ＬＴＥ方式における１つのシステムキャリアに相当する。すなわち、ＬＴＥ方式では、１つの「Ｃｏｍｐｏｎｅｎｔ  Ｃａｒｒｉｅｒ」で通信が行われていたが、ＬＴＥ-Ａｄｖａｎｃｅｄ方式では、２つ以上の「Ｃｏｍｐｏｎｅｎｔ  Ｃａｒｒｉｅｒ」で通信が行われてもよい。
【００４６】
図５乃至図８に示すように、本実施形態に係る移動通信システムでは、８００Ｍｚ帯（第１周波数帯域。図中ではＦ１）内のキャリア（コンポーネントキャリア）が用いられるセル（第１通信エリア）と、２ＧＨｚ帯（第２周波数帯域。図中ではＦ２）内のキャリア（コンポーネントキャリア）が用いられるセル（第２通信エリア）とが、地理的に重複している。なお、図６、７、８においては、少なくとも一部で地理的に重複している。
【００４７】
また、図５乃至図８には示されていないが、第１周波数帯域及び第２周波数帯域に加えて、第３周波数帯域が存在してもよい。第３周波数帯域は、例えば、１.７ＧＨｚ帯であってもよい。
【００４８】
また、いずれかの周波数帯域に複数のコンポーネントキャリアが設定されていてもよい。全ての周波数帯域を用いてキャリアアグリゲーションを行う必要はなく、その内の一部の周波数帯域を用いてキャリアアグリゲーションが行われてもよい。また、ある周波数帯域に複数のコンポーネントキャリアが設定されている場合に、その内の一部のコンポーネントキャリアを用いてキャリアアグリゲーションが行われてもよい。
【００４９】
以下の説明では、第１周波数帯域のコンポーネントキャリア（以下、第１キャリアと呼ぶ）と、第２周波数帯域のコンポーネントキャリア（以下、第２キャリアと呼ぶ）とを用いて、キャリアアグリゲーションが行われると想定する。
【００５０】
また、第３周波数帯域のコンポーネントキャリア（以下、第３キャリア）に関しては、キャリアアグリゲーションは行われないが、移動局ＵＥは、第３キャリアに含まれるセルのＭｅａｓｕｒｅｍｅｎｔを行うと想定する。
【００５１】
なお、第３キャリアに含まれるセルのＭｅａｓｕｒｅｍｅｎｔを行うことにより、例えば、第３キャリアのセルの無線品質が良くなった場合に、かかるセルにハンドオーバを行う、或いは、かかるセルとキャリアアグリゲーションを行うといったことが考えられる。
【００５２】
なお、移動局ＵＥは、例えば、第３キャリアのセルをＭｅａｓｕｒｅｍｅｎｔすることを指示されていない場合には、第３キャリアのセルのＭｅａｓｕｒｅｍｅｎｔを行わなくてもよい。
【００５３】
なお、図５乃至図８に示す「Ｆ１：８００ＭＨｚ」及び「Ｆ２：２ＧＨｚ」は、一例であり、その他の周波数帯域のキャリア（コンポーネントキャリア）、例えば、３．５ＧＨｚ帯のキャリアや２.６ＧＨｚ帯のキャリアが用いられてもよい。また、２つのキャリアではなく、３つ以上のキャリアが用いられてもよい。
【００５４】
ところで、かかる第１周波数帯域や第２周波数帯域は、周波数バンド（Ｆｒｅｑｕｅｎｃｙ  Ｂａｎｄ）と呼ばれてもよい。ＬＴＥ方式或いはＬＴＥ-Ａｄｖａｎｃｅｄ方式における周波数バンドは、３ＧＰＰ  ＴＳ３６.１０１の「５.５  Ｏｐｅｒａｔｉｎｇ  ｂａｎｄｓ」に規定されている。
【００５５】
例えば、Ｂａｎｄ１における上りリンクの周波数は、１９２０ＭＨｚから１９８０ＭＨｚであり、Ｂａｎｄ１９における上りリンクの周波数は、８３０ＭＨｚから８４５ＭＨｚである。
【００５６】
本実施形態に係る移動通信システムでは、下りリンクにおいて、各移動局ＵＥで共有される「物理下りリンク共有チャネル（ＰＤＳＣＨ）」及び「物理下りリンク制御チャネル（ＰＤＣＣＨ：Ｐｈｙｓｉｃａｌ  Ｄｏｗｎｌｉｎｇ  Ｃｏｎｔｒｏｌ  Ｃｈａｎｎｅｌ）」が用いられる。
【００５７】
「物理下りリンク共有チャネル（ＰＤＳＣＨ）」を介して、ユーザデータ、すなわち、通常のデータ信号が伝送される。
【００５８】
また、「物理下りリンク制御チャネル（ＰＤＣＣＨ）」を介して、「物理下りリンク共有チャネル（ＰＤＳＣＨ）」を用いて通信を行う移動局ＵＥのＩＤやユーザデータのトランスポートフォーマットの情報（すなわち、下りスケジューリング情報）や、「物理上りリンク共有チャネル（ＰＵＳＣＨ）」を用いて通信を行う移動局ＵＥのＩＤやユーザデータのトランスポートフォーマットの情報（すなわち、上りスケジューリンググラント）等の制御信号が通知される。
【００５９】
「物理下りリンク制御チャネル（ＰＤＣＣＨ）」は、「下りＬ１/Ｌ２制御チャネル（Ｄｏｗｎｌｉｎｋ  Ｌ１/Ｌ２  Ｃｏｎｔｒｏｌ  Ｃｈａｎｎｅｌ）」と呼ばれてもよい。また、「下りスケジューリング情報」や「上りスケジューリンググラント」は、まとめて、「下りリンク制御情報（ＤＣＩ）」と呼ばれてもよい。
【００６０】
また、下りリンクにおいては、報知情報が、論理チャネルとしての「ＢＣＣＨ：Ｂｒｏａｄｃａｓｔ  Ｃｏｎｔｒｏｌ  Ｃｈａｎｎｅｌ」にマッピングされて送信される。
【００６１】
ここで、「ＢＣＣＨ」を介して送信される情報の一部は、トランスポートチャネルである「ＢＣＨ：Ｂｒｏａｄｃａｓｔ  Ｃｈａｎｎｅｌ」にマッピングされ、「ＢＣＨ」にマッピングされた情報は、物理チャネルである「Ｐ-ＢＣＨ：Ｐｈｙｓｉｃａｌ  Ｂｒｏａｄｃａｓｔ  Ｃｈａｎｎｅｌ」を介して、該当するセル内の移動局ＵＥに送信される。
【００６２】
また、「ＢＣＣＨ」を介して送信される情報の一部は、トランスポートチャネルである「ＤＬ-ＳＣＨ：Ｄｏｗｎｌｉｎｋ  Ｓｈａｒｅｄ  Ｃｈａｎｎｅｌ」にマッピングされ、「ＤＬ-ＳＣＨ」にマッピングされた情報は、物理チャネルである「物理下りリンク共有チャネル（ＰＤＳＣＨ）」を介して、該当するセル内の移動局ＵＥに送信される。
【００６３】
本実施形態に係る移動通信システムでは、上りリンクにおいて、各移動局ＵＥで共有して使用される「物理上りリンク共有チャネル（ＰＵＳＣＨ）」及び「物理上りリンク制御チャネル（ＰＵＣＣＨ）」が用いられる。
【００６４】
かかる「物理上りリンク共有チャネル（ＰＵＳＣＨ）」により、ユーザデータ、すなわち、通常のデータ信号が伝送される。
【００６５】
また、「物理上りリンク制御チャネル（ＰＵＣＣＨ）」により、「物理上りリンク共有チャネル（ＰＵＳＣＨ）」のスケジューリング処理や適応変復調及び符号化処理（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：Ｃｈａｎｎｅｌ  Ｑｕａｌｉｔｙ  Ｉｎｄｉｃａｔｏｒ）、及び、「物理上りリンク共有チャネル（ＰＵＳＣＨ）」における送達確認情報（Ａｃｋｎｏｗｌｅｄｇｅｍｅｎｔ  Ｉｎｆｏｒｍａｔｉｏｎ）が伝送される。
【００６６】
かかる下りリンクの品質情報は、「ＣＱＩ」や「ＰＭＩ（Ｐｒｅ-ｃｏｄｉｎｇ  Ｍａｔｒｉｘ  Ｉｎｄｉｃａｔｏｒ）」や「ＲＩ（Ｒａｎｋ  Ｉｎｄｉｃａｔｏｒ）」をまとめたインディケータである「ＣＳＩ（Ｃｈａｎｎｅｌ  Ｓｔａｔｅ  Ｉｎｄｉｃａｔｏｒ）」と呼ばれてもよい。
【００６７】
また、かかる送達確認情報の内容は、送信信号が適切に受信されたことを示す肯定応答（ＡＣＫ：Ａｃｋｎｏｗｌｅｄｇｅｍｅｎｔ）又は送信信号が適切に受信されなかったことを示す否定応答（ＮＡＣＫ：Ｎｅｇａｔｉｖｅ  Ａｃｋｎｏｗｌｅｄｇｅｍｅｎｔ）の何れかで表現される。
【００６８】
図９に示すように、移動局ＵＥは、第１キャリア測定部１０２Ａと、第２キャリア測定部１０２Ｂと、第３キャリア測定部１０２Ｃと、判定部１０４と、Ｍｅａｓｕｒｅｍｅｎｔ  ｒｅｐｏｒｔ送信部１０６と、Ｍｅａｓｕｒｅｍｅｎｔ制御信号受信部１０８とを具備している。
【００６９】
第１キャリア測定部１０２Ａと、第２キャリア測定部１０２Ｂと、第３キャリア測定部１０２Ｃと、判定部１０４と、Ｍｅａｓｕｒｅｍｅｎｔ  ｒｅｐｏｒｔ送信部１０６と、Ｍｅａｓｕｒｅｍｅｎｔ制御信号受信部１０８とは、互いに接続されている。
【００７０】
第１キャリア測定部１０２Ａ、第２キャリア測定部１０２Ｂ、第３キャリア測定部１０２Ｃは、まとめて、キャリア測定部１０２と呼ばれてもよい。
【００７１】
第１キャリア測定部１０２Ａは、第１キャリアのセルに関するＭｅａｓｕｒｅｍｅｎｔを行う。
【００７２】
ここで、前記Ｍｅａｓｕｒｅｍｅｎｔとは、隣接セルのセルサーチ、及び、隣接セル又はサービングセルの無線品質の測定を指す。
【００７３】
前記無線品質とは、例えば、ＲＳＲＰやＲＳＲＱ（Ｒｅｆｅｒｅｎｃｅ  Ｓｉｇｎａｌ  Ｒｅｃｅｉｖｅｄ  Ｑｕａｌｉｔｙ）やＲＳ（Ｒｅｆｅｒｅｎｃｅ  Ｓｉｇｎａｌ）のＳＩＲであってもよい。或いは、前記無線品質とは、ＣＱＩ（Ｃｈａｎｎｅｌ  Ｑｕａｌｉｔｙ  Ｉｎｄｉｃａｔｏｒ）やＣＳＩ（Ｃｈａｎｎｅｌ  Ｓｔａｔｅ  Ｉｎｆｏｒｍａｔｉｏｎ）であってもよい。
【００７４】
そして、第１キャリア測定部１０２Ａは、前記第１キャリアのセルに関する無線品質の測定結果、すなわち、ＲＳＲＰやＲＳＲＱ、ＲＳのＳＩＲ等を、判定部１０４及びＭｅａｓｕｒｅｍｅｎｔ  ｒｅｐｏｒｔ送信部１０６に送付する。
【００７５】
第２キャリア測定部１０２Ｂは、第２キャリアのセルに関するＭｅａｓｕｒｅｍｅｎｔを行う。そして、第２キャリア測定部１０２Ｂは、前記第２キャリアのセルに関する無線品質の測定結果、すなわち、ＲＳＲＰやＲＳＲＱ、ＲＳのＳＩＲ等を、判定部１０４及びＭｅａｓｕｒｅｍｅｎｔ  ｒｅｐｏｒｔ送信部１０６に送付する。
【００７６】
第３キャリア測定部１０２Ｃは、第３キャリアのセルに関するＭｅａｓｕｒｅｍｅｎｔを行う。そして、第３キャリア測定部１０２Ｃは、前記第３キャリアのセルに関する無線品質の測定結果、すなわち、ＲＳＲＰやＲＳＲＱ、ＲＳのＳＩＲ等を、判定部１０４及びＭｅａｓｕｒｅｍｅｎｔ  ｒｅｐｏｒｔ送信部１０６に送付する。
【００７７】
判定部１０４は、第１キャリア測定部１０２Ａより、前記第１キャリアのセルに関する無線品質の測定結果を受け取り、第２キャリア測定部１０２Ｂより、前記第２キャリアのセルに関する無線品質の測定結果を受け取り、第３キャリア測定部１０２Ｂより、前記第３キャリアのセルに関する無線品質の測定結果を受け取る。
【００７８】
そして、判定部１０４は、第１キャリアに関して、Ｍｅａｓｕｒｅｍｅｎｔ  ｒｅｐｏｒｔを送信するか否かを判定する。
【００７９】
以下に、判定部１０４がＭｅａｓｕｒｅｍｅｎｔ  ｒｅｐｏｒｔを送信するか否かを判定する処理の例を示す。なお、以下の例では、隣接セル又はサービングセルの無線品質として、セルからの信号の受信電力、すなわち、ＲＳＲＰが測定される場合を示す。
【００８０】
例えば、判定部１０４は、第１キャリアに関して、イベントＡ３の判定を行ってもよい。すなわち、判定部１０４は、隣接セルからの信号の受信電力（ＲＳＲＰ）が、以下の（式３）を満たすか否かについて判定し、かかる（式３）が満たされていると判定された場合、当該イベントＡ３の測定結果をＭｅａｓｕｒｅｍｅｎｔ  ｒｅｐｏｒｔとして、無線基地局ｅＮＢに通知すると判定してもよい。
【００８１】
隣接セルからの信号の受信電力  ＋  ヒステリシス  ＞  サービングセルからの信号の受信電力  …  （式３）
判定部１０４は、無線基地局ｅＮＢにＭｅａｓｕｒｅｍｅｎｔ  ｒｅｐｏｒｔを通知すると判定した場合に、その判定結果をＭｅａｓｕｒｅｍｅｎｔ  ｒｅｐｏｒｔ送信部１０６に通知する。
【００８２】
なお、上述した「無線基地局ｅＮＢにＭｅａｓｕｒｅｍｅｎｔ  ｒｅｐｏｒｔを通知すると判定する」という動作は、「イベント（この場合、イベントＡ３）がトリガーされる」と表現されてもよい。
【００８３】
或いは、例えば、判定部１０４は、第１キャリアに関して、イベントＡ１の判定を行ってもよい。すなわち、判定部１０４は、サービングセルからの信号の受信電力が、以下の（式４）を満たすか否かについて判定し、かかる（式４）が満たされていると判定された場合、当該イベントＡ１の測定結果をＭｅａｓｕｒｅｍｅｎｔ  ｒｅｐｏｒｔとして、無線基地局ｅＮＢに通知すると判定してもよい。
【００８４】
サービングセルからの信号の受信電力    ＞  第１閾値  …  （式４）
判定部１０４は、無線基地局ｅＮＢにＭｅａｓｕｒｅｍｅｎｔ  ｒｅｐｏｒｔを通知すると判定した場合に、その判定結果をＭｅａｓｕｒｅｍｅｎｔ  ｒｅｐｏｒｔ送信部１０６に通知する。
【００８５】
なお、上述した「無線基地局ｅＮＢにＭｅａｓｕｒｅｍｅｎｔ  ｒｅｐｏｒｔを通知すると判定する」という動作は、「イベント（この場合、イベントＡ１）がトリガーされる」と表現されてもよい。
【００８６】
或いは、例えば、判定部１０４は、第１キャリアに関して、イベントＡ２の判定を行ってもよい。すなわち、判定部１０４は、サービングセルからの信号の受信電力が、以下の（式５）を満たすか否かについて判定し、かかる（式５）が満たされていると判定された場合、当該イベントＡ２の測定結果をＭｅａｓｕｒｅｍｅｎｔ  ｒｅｐｏｒｔとして、無線基地局ｅＮＢに通知すると判定してもよい。
【００８７】
サービングセルからの信号の受信電力    ＜  第２閾値  …  （式５）
判定部１０４は、無線基地局ｅＮＢにＭｅａｓｕｒｅｍｅｎｔ  ｒｅｐｏｒｔを通知すると判定した場合に、その判定結果をＭｅａｓｕｒｅｍｅｎｔ  ｒｅｐｏｒｔ送信部１０６に通知する。
【００８８】
なお、上述した「無線基地局ｅＮＢにＭｅａｓｕｒｅｍｅｎｔ  ｒｅｐｏｒｔを通知すると判定する」という動作は、「イベント（この場合、イベントＡ２）がトリガーされる」と表現されてもよい。
【００８９】
或いは、例えば、判定部１０４は、第１キャリアに関して、イベントＡ４の判定を行ってもよい。すなわち、判定部１０４は、サービングセルからの信号の受信電力が、以下の（式６）を満たすか否かについて判定し、かかる（式６）が満たされていると判定された場合、当該イベントＡ４の測定結果をＭｅａｓｕｒｅｍｅｎｔ  ｒｅｐｏｒｔとして、無線基地局ｅＮＢに通知すると判定してもよい。
【００９０】
隣接セルからの信号の受信電力    ＞  第３閾値  …  （式６）
判定部１０４は、無線基地局ｅＮＢにＭｅａｓｕｒｅｍｅｎｔ  ｒｅｐｏｒｔを通知すると判定した場合に、その判定結果をＭｅａｓｕｒｅｍｅｎｔ  ｒｅｐｏｒｔ送信部１０６に通知する。
【００９１】
なお、上述した「無線基地局ｅＮＢにＭｅａｓｕｒｅｍｅｎｔ  ｒｅｐｏｒｔを通知すると判定する」という動作は、「イベント（この場合、イベントＡ４）がトリガーされる」と表現されてもよい。
【００９２】
或いは、例えば、判定部１０４は、第１キャリアに関して、イベントＡ５の判定を行ってもよい。すなわち、判定部１０４は、サービングセルからの信号の受信電力及び隣接セルからの信号の電力が、以下の（式７）を満たすか否かについて判定し、かかる（式７）が満たされていると判定された場合、当該イベントＡ５の測定結果をＭｅａｓｕｒｅｍｅｎｔ  ｒｅｐｏｒｔとして、無線基地局ｅＮＢに通知すると判定してもよい。
【００９３】
サービングセルからの信号の受信電力    ＜  第４閾値  、かつ、
隣接セルからの信号の受信電力    ＞  第５閾値  
…  （式７）
判定部１０４は、無線基地局ｅＮＢにＭｅａｓｕｒｅｍｅｎｔ  ｒｅｐｏｒｔを通知すると判定した場合に、その判定結果をＭｅａｓｕｒｅｍｅｎｔ  ｒｅｐｏｒｔ送信部１０６に通知する。
【００９４】
なお、上述した「無線基地局ｅＮＢにＭｅａｓｕｒｅｍｅｎｔ  ｒｅｐｏｒｔを通知すると判定する」という動作は、「イベント（この場合、イベントＡ５）がトリガーされる」と表現されてもよい。
【００９５】
ここで、判定部１０４は、イベントＡ１乃至Ａ５の代わりに、イベントＡ３乃至Ａ５以外のイベント、すなわち、イベントＢ１、Ｂ２等に関して、Ｍｅａｓｕｒｅｍｅｎｔ  ｒｅｐｏｒｔを送信するか否かを判定してもよい。
【００９６】
或いは、判定部１０４は、上記以外のイベントに関しても、同様にそのイベントの判定を行い、Ｍｅａｓｕｒｅｍｅｎｔ  ｒｅｐｏｒｔを送信するか否かの判定を行ってもよい。
【００９７】
また、判定部１０４は、周期的にＭｅａｓｕｒｅｍｅｎｔ  ｒｅｐｏｒｔを送信すると判定してもよい。すなわち、判定部１０４は、周期的に、Ｍｅａｓｕｒｅｍｅｎｔ  ｒｅｐｏｒｔ送信部１０６に対して、Ｍｅａｓｕｒｅｍｅｎｔ  ｒｅｐｏｒｔの送信を指示してもよい。
【００９８】
或いは、判定部１０４は、上述したようなイベントの判定に基づくＭｅａｓｕｒｅｍｅｎｔ  ｒｅｐｏｒｔの送信の判定を行い、かつ、そのＭｅａｓｕｒｅｍｅｎｔ  ｒｅｐｏｒｔの送信タイミングを起点として、周期的にＭｅａｓｕｒｅｍｅｎｔ  ｒｅｐｏｒｔの送信を行うと判定してもよい。
【００９９】
すなわち、判定部１０４は、Ｍｅａｓｕｒｅｍｅｎｔ  ｒｅｐｏｒｔ送信部１０６に対して、上述したようなイベントの判定に基づくＭｅａｓｕｒｅｍｅｎｔ  ｒｅｐｏｒｔの送信を指示し、かつ、そのＭｅａｓｕｒｅｍｅｎｔ  ｒｅｐｏｒｔの送信タイミングを起点として、周期的にＭｅａｓｕｒｅｍｅｎｔ  ｒｅｐｏｒｔの送信を指示してもよい。
【０１００】
また、判定部１０４は、第２キャリアに関して、Ｍｅａｓｕｒｅｍｅｎｔ  ｒｅｐｏｒｔを送信するか否かを判定し、その判定結果をＭｅａｓｕｒｅｍｅｎｔ  ｒｅｐｏｒｔ送信部１０６に通知する。
【０１０１】
なお、第２キャリアに関する、Ｍｅａｓｕｒｅｍｅｎｔ  ｒｅｐｏｒｔを送信するか否かの判定、及び、その判定結果のＭｅａｓｕｒｅｍｅｎｔ  ｒｅｐｏｒｔ送信部１０６への通知の処理は、第１キャリアに関する処理と同様であるため、その説明を省略する。
【０１０２】
また、判定部１０４は、第３キャリアに関して、Ｍｅａｓｕｒｅｍｅｎｔ  ｒｅｐｏｒｔを送信するか否かを判定し、その判定結果をＭｅａｓｕｒｅｍｅｎｔ  ｒｅｐｏｒｔ送信部１０６に通知する。
【０１０３】
なお、第３キャリアに関する、Ｍｅａｓｕｒｅｍｅｎｔ  ｒｅｐｏｒｔを送信するか否かの判定、及び、その判定結果のＭｅａｓｕｒｅｍｅｎｔ  ｒｅｐｏｒｔ送信部１０６への通知の処理は、第１キャリアに関する処理と同様であるため、その説明を省略する。
【０１０４】
なお、上述した例において、判定部１０４は、１つのキャリアに関して、Ｍｅａｓｕｒｅｍｅｎｔ  ｒｅｐｏｒｔの送信を行うか否かを判定しているが、代わりに、２つ以上のキャリアに関するＭｅａｓｕｒｅｍｅｎｔ  ｒｅｐｏｒｔの送信を行うか否かを判定してもよい。
【０１０５】
Ｍｅａｓｕｒｅｍｅｎｔ  ｒｅｐｏｒｔ送信部１０６は、第１キャリア測定部１０２Ａ及び第２キャリア測定部１０２Ｂ及び第３キャリア測定部１０２Ｃより、それぞれ、第１キャリアのセルに関する無線品質の測定結果及び第２キャリアのセルに関する無線品質の測定結果及び第３キャリアのセルに関する無線品質の測定結果を受け取る。
【０１０６】
また、Ｍｅａｓｕｒｅｍｅｎｔ  ｒｅｐｏｒｔ送信部１０６は、判定部１０４より、第１キャリア又は第２キャリア又は第３キャリアに関する、Ｍｅａｓｕｒｅｍｅｎｔ  ｒｅｐｏｒｔを送信するか否かの判定結果を受け取る。
【０１０７】
そして、Ｍｅａｓｕｒｅｍｅｎｔ  ｒｅｐｏｒｔ送信部１０６は、判定部１０４より受け取った、第１キャリアに関する、Ｍｅａｓｕｒｅｍｅｎｔ  ｒｅｐｏｒｔを送信するか否かの判定結果に基づき、無線基地局ｅＮＢに、かかるＭｅａｓｕｒｅｍｅｎｔ  ｒｅｐｏｒｔを送信する。
【０１０８】
また、Ｍｅａｓｕｒｅｍｅｎｔ  ｒｅｐｏｒｔ送信部１０６は、判定部１０４より受け取った、第２キャリアに関する、Ｍｅａｓｕｒｅｍｅｎｔ  ｒｅｐｏｒｔを送信するか否かの判定結果に基づき、無線基地局ｅＮＢに、かかるＭｅａｓｕｒｅｍｅｎｔ  ｒｅｐｏｒｔを送信する。
【０１０９】
また、Ｍｅａｓｕｒｅｍｅｎｔ  ｒｅｐｏｒｔ送信部１０６は、判定部１０４より受け取った、第３キャリアに関する、Ｍｅａｓｕｒｅｍｅｎｔ  ｒｅｐｏｒｔを送信するか否かの判定結果に基づき、無線基地局ｅＮＢに、かかるＭｅａｓｕｒｅｍｅｎｔ  ｒｅｐｏｒｔを送信する。
【０１１０】
なお、上述した例では、Ｍｅａｓｕｒｅｍｅｎｔ  ｒｅｐｏｒｔ送信部１０６は、１つのキャリアに関するＭｅａｓｕｒｅｍｅｎｔ  ｒｅｐｏｒｔを送信しているが、代わりに、複数のキャリアに関するＭｅａｓｕｒｅｍｅｎｔ  ｒｅｐｏｒｔを送信してもよい。
【０１１１】
ここで、Ｍｅａｓｕｒｅｍｅｎｔ  ｒｅｐｏｒｔ送信部１０６は、かかるＭｅａｓｕｒｅｍｅｎｔ  ｒｅｐｏｒｔを送信する場合に、判定部１０４がＭｅａｓｕｒｅｍｅｎｔ  ｒｅｐｏｒｔを無線基地局ｅＮＢに通知すると判定したキャリア以外のキャリアに関する無線品質の測定結果を、かかるＭｅａｓｕｒｅｍｅｎｔ  ｒｅｐｏｒｔに含めてもよい。
【０１１２】
すなわち、Ｍｅａｓｕｒｅｍｅｎｔ  ｒｅｐｏｒｔ送信部１０６は、かかるＭｅａｓｕｒｅｍｅｎｔ  ｒｅｐｏｒｔを送信する場合に、判定部１０４がＭｅａｓｕｒｅｍｅｎｔ  ｒｅｐｏｒｔを無線基地局ｅＮＢに通知すると判定したキャリアとは異なるキャリアに関する無線品質の測定結果を、かかるＭｅａｓｕｒｅｍｅｎｔ  ｒｅｐｏｒｔに含めてもよい。
【０１１３】
言い換えれば、かかるＭｅａｓｕｒｅｍｅｎｔ  ｒｅｐｏｒｔには、判定部１０４がＭｅａｓｕｒｅｍｅｎｔ  ｒｅｐｏｒｔを無線基地局ｅＮＢに通知すると判定したキャリアとは異なるキャリアに関する無線品質の測定結果が含まれてもよい。
【０１１４】
例えば、Ｍｅａｓｕｒｅｍｅｎｔ  ｒｅｐｏｒｔ送信部１０６は、第１キャリアに関するＭｅａｓｕｒｅｍｅｎｔ  ｒｅｐｏｒｔを送信する場合に、第２キャリアに関する無線品質の測定結果を、かかるＭｅａｓｕｒｅｍｅｎｔ  ｒｅｐｏｒｔに含めてもよい。
【０１１５】
或いは、Ｍｅａｓｕｒｅｍｅｎｔ  ｒｅｐｏｒｔ送信部１０６は、第１キャリアに関するＭｅａｓｕｒｅｍｅｎｔ  ｒｅｐｏｒｔを送信する場合に、第２キャリア及び第３キャリアに関する無線品質の測定結果を、かかるＭｅａｓｕｒｅｍｅｎｔ  ｒｅｐｏｒｔに含めてもよい。
【０１１６】
ここで、上述した、判定部１０４がＭｅａｓｕｒｅｍｅｎｔ  ｒｅｐｏｒｔを無線基地局ｅＮＢに通知すると判定したキャリア以外のキャリア（以下、その他のキャリアと呼ぶ）に関する測定結果とは、具体的には、かかるその他のキャリアにおける、無線品質が良いセルのＩＤとその無線品質であってもよい。
【０１１７】
ここで、前記無線品質が良いセルは、１個であってもよいし、２個以上であってもよい。２個以上の無線品質が良いセルが通知される場合には、無線品質が良い順に通知されてもよい。
【０１１８】
すなわち、４個の無線品質が良いセルが通知される場合には、無線品質が良い順に、上位４個のセルのＩＤとその無線品質が通知されてもよい。
【０１１９】
なお、かかる４個のセルは、前記その他のキャリアが複数存在する場合に、その１つのキャリアの４個のセルであってもよいし、全てのキャリアの中の４個のセルであってもよい。
【０１２０】
或いは、かかる４個のセルは、前記その他のキャリアが複数存在する場合に、その複数のキャリアの中の一部の複数のキャリアの中の４個のセルであってもよい。
【０１２１】
或いは、上述した、判定部１０４がＭｅａｓｕｒｅｍｅｎｔ  ｒｅｐｏｒｔを無線基地局ｅＮＢに通知すると判定したキャリア以外のキャリア（以下、その他のキャリアと呼ぶ）に関する測定結果とは、具体的には、かかるその他のキャリアにおける、キャリアアグリゲーションが行われているセルとその無線品質であってもよい。
【０１２２】
なお、かかるキャリアアグリゲーションが行われているセルは、移動局ＵＥと無線基地局ｅＮＢでリンク（接続）が構築されているセルであってもよい。すなわち、かかるキャリアアグリゲーションが行われているセルは、キャリアアグリゲーションが行われているキャリアの通信中のセルであってもよい。
【０１２３】
或いは、上述した、判定部１０４がＭｅａｓｕｒｅｍｅｎｔ  ｒｅｐｏｒｔを無線基地局ｅＮＢに通知すると判定したキャリア以外のキャリア（以下、その他のキャリアと呼ぶ）に関する測定結果とは、具体的には、キャリアアグリゲーションが行われているキャリアに関する測定結果であってもよい。なお、かかるキャリアアグリゲーションが行われているキャリアが複数存在する場合は、かかるその他のキャリアは、その一部のキャリアであってもよいし、全てのキャリアであってもよい。
【０１２４】
或いは、上述した、判定部１０４がＭｅａｓｕｒｅｍｅｎｔ  ｒｅｐｏｒｔを無線基地局ｅＮＢに通知すると判定したキャリア以外のキャリア（以下、その他のキャリアと呼ぶ）に関する測定結果とは、具体的には、かかるその他のキャリアにおける、キャリアアグリゲーションが行われているセルとその無線品質と、無線品質が良いセルのＩＤとその無線品質であってもよい。
【０１２５】
ここで、前記無線品質が良いセルは、１個であってもよいし、２個以上であってもよい。２個以上の無線品質が良いセルが通知される場合には、無線品質が良い順に通知されてもよい。
【０１２６】
前記セルのＩＤとは、Ｐｈｙｓｉｃａｌ  Ｃｅｌｌ  ＩＤ（ＰＣＩ）であってもよい。前記無線品質とは、ＲＳＲＰやＲＳＲＱ、或いは、ＲＳのＳＩＲであってもよい。或いは、前記無線品質とは、ＣＱＩやＣＳＩであってもよい。
【０１２７】
また、前記その他のキャリアにおける、前記無線品質が良いセルの数は、無線基地局ｅＮＢから移動局ＵＥに指定されてもよい。前記その他のキャリアにおける、前記無線品質が良いセルの数は、Ｍｅａｓｕｒｅｍｅｎｔ制御信号受信部１０８を経由して、無線基地局ｅＮＢより、移動局ＵＥに通知されてもよい。
【０１２８】
無線基地局ｅＮＢが、移動局ＵＥに対して、前記無線品質が良いセルの数を指定することにより、不要なセルの情報が削減されるため、制御信号（Ｍｅａｓｕｒｅｍｅｎｔ  ｒｅｐｏｒｔ）のオーバヘッドが削減される。
【０１２９】
また、前記その他のキャリアは、無線基地局ｅＮＢから移動局ＵＥに指定されてもよい。例えば、前記その他のキャリアの識別情報が、Ｍｅａｓｕｒｅｍｅｎｔ制御信号受信部１０８を経由して、無線基地局ｅＮＢより、移動局ＵＥに通知されてもよい。
【０１３０】
例えば、無線基地局ｅＮＢは、移動局ＵＥに対して、第１のキャリアに関するＭｅａｓｕｒｅｍｅｎｔ  ｒｅｐｏｒｔを送信する場合に、第２のキャリアに関する無線品質の測定結果を含めるように指示してもよい。
【０１３１】
ここでは、第２のキャリアが、前記その他のキャリアに対応する。或いは、無線基地局ｅＮＢは、移動局ＵＥに対して、第１のキャリアに関するＭｅａｓｕｒｅｍｅｎｔ  ｒｅｐｏｒｔを送信する場合に、第２のキャリアと第３のキャリアに関する無線品質の測定結果を含めるように指示してもよい。ここでは、第２のキャリアと第３のキャリアが、前記その他のキャリアに対応する。
【０１３２】
なお、上述した、キャリアアグリゲーションが行われているキャリアの通信中であるセルに関しては、無線基地局ｅＮＢからの指示に関係なく、そのセルのＩＤと無線品質が、前記Ｍｅａｓｕｒｅｍｅｎｔ  ｒｅｐｏｒｔに含まれてもよい。
【０１３３】
また、キャリアアグリゲーションが行われているキャリア（コンポーネントキャリア）に関しては、無線基地局ｅＮＢからの指示に関係なく、そのキャリアにおける、無線品質が良いセルのＩＤとその無線品質が、前記Ｍｅａｓｕｒｅｍｅｎｔ  ｒｅｐｏｒｔに含まれてもよい。
【０１３４】
無線基地局ｅＮＢが、移動局ＵＥに対して、その他のキャリアを指定することにより、無線基地局ｅＮＢは、無線基地局ｅＮＢが必要とするキャリアに関する無線品質の測定結果を効率的に取得することが可能となる。
【０１３５】
すなわち、多くのキャリアに関する無線品質の測定結果ではなく、無線基地局ｅＮＢが必要とするキャリアに関する無線品質の測定結果が、移動局ＵＥより通知されるため、制御信号（Ｍｅａｓｕｒｅｍｅｎｔ  ｒｅｐｏｒｔ）のオーバヘッドが削減される。
【０１３６】
なお、前記その他のキャリアは、キャリアアグリゲーションが行われているキャリアであってもよいし、キャリアアグリゲーションが行われていないキャリアであってもよいし、キャリアアグリゲーションが行われているキャリアとキャリアアグリゲーションが行われていないキャリアの両方であってもよい。
【０１３７】
例えば、キャリアアグリゲーションが行われているキャリアとは、上述した例においては、第１キャリアと第２キャリアであり、キャリアアグリゲーションが行われていないキャリアとは、上述した例においては、第３キャリアである。また、前記その他のキャリアは、無線基地局ｅＮＢが、移動局ＵＥに対して、Ｍｅａｓｕｒｅｍｅｎｔを指示しているキャリアに含まれるキャリアであってもよい。
【０１３８】
なお、かかるＭｅａｓｕｒｅｍｅｎｔ  ｒｅｐｏｒｔは、上りリンクのデータ信号として、移動局ＵＥから無線基地局ｅＮＢに送信される。
【０１３９】
前記上りリンクのデータ信号とは、より具体的には、論理チャネルの観点では、ＤＣＣＨであってもよい。また、かかるＭｅａｓｕｒｅｍｅｎｔ  ｒｅｐｏｒｔは、第１キャリアを用いて、移動局ＵＥから無線基地局ｅＮＢに送信されてもよいし、或いは、第２キャリアを用いて、移動局ＵＥから無線基地局ｅＮＢに送信されてもよい。
【０１４０】
或いは、前記Ｍｅａｓｕｒｅｍｅｎｔ  ｒｅｐｏｒｔは、第１キャリアと第２キャリアの両方を用いて、移動局ＵＥから無線基地局ｅＮＢに送信されてもよい。
【０１４１】
上述したように、Ｍｅａｓｕｒｅｍｅｎｔ  ｒｅｐｏｒｔ送信部１０６が、Ｍｅａｓｕｒｅｍｅｎｔ  ｒｅｐｏｒｔを送信する場合に、判定部１０４がＭｅａｓｕｒｅｍｅｎｔ  ｒｅｐｏｒｔを無線基地局ｅＮＢに通知すると判定したキャリア以外のキャリアに関する無線品質の測定結果を、かかるＭｅａｓｕｒｅｍｅｎｔ  ｒｅｐｏｒｔに含めることにより、無線基地局ｅＮＢは、複数のキャリアの状況を考慮して、より適切なタイミングで、移動局ＵＥに対してハンドオーバを指示することが可能となり、スループットの増大及びＭｏｂｉｌｉｔｙ特性の安定化を実現することが可能となり、結果として、システムの効率化、及び、接続性の安定性を実現することができる。
【０１４２】
なお、Ｍｅａｓｕｒｅｍｅｎｔ  ｒｅｐｏｒｔ送信部１０６は、上述したように、判定部１０４がＭｅａｓｕｒｅｍｅｎｔ  ｒｅｐｏｒｔを無線基地局ｅＮＢに通知すると判定したキャリア以外のキャリア（その他のキャリア）に関する無線品質の測定結果を、Ｍｅａｓｕｒｅｍｅｎｔ  ｒｅｐｏｒｔに含めて、Ｍｅａｓｕｒｅｍｅｎｔ  ｒｅｐｏｒｔを送信する場合に、前記その他のキャリアに関するＴｉｍｅ-ｔｏ-ｔｒｉｇｇｅｒをリセットしてもよい。
【０１４３】
すなわち、Ｍｅａｓｕｒｅｍｅｎｔ  ｒｅｐｏｒｔ送信部１０６は、Ｔｉｍｅ-ｔｏ-ｔｒｉｇｇｅｒが起動されている場合に、Ｔｉｍｅ-ｔｏ-ｔｒｉｇｇｅｒの値を初期値に戻してもよい。
【０１４４】
すなわち、Ｍｅａｓｕｒｅｍｅｎｔ  ｒｅｐｏｒｔ送信部１０６は、Ｔｉｍｅ-ｔｏ-ｔｒｉｇｇｅｒが起動されている場合に、Ｔｉｍｅ-ｔｏ-ｔｒｉｇｇｅｒの値を０に戻してもよい。
【０１４５】
また、Ｍｅａｓｕｒｅｍｅｎｔ  ｒｅｐｏｒｔ送信部１０６は、上述したように、判定部１０４がＭｅａｓｕｒｅｍｅｎｔ  ｒｅｐｏｒｔを無線基地局ｅＮＢに通知すると判定したキャリア以外のキャリア（その他のキャリア）に関する無線品質の測定結果を、Ｍｅａｓｕｒｅｍｅｎｔ  ｒｅｐｏｒｔに含めて、Ｍｅａｓｕｒｅｍｅｎｔ  ｒｅｐｏｒｔを送信する場合に、かかるＭｅａｓｕｒｅｍｅｎｔ  ｒｅｐｏｒｔを送信するタイミングを起点として、その他のキャリアに関する周期的なＭｅａｓｕｒｅｍｅｎｔ  ｒｅｐｏｒｔの送信を行ってもよい。
【０１４６】
上述した、Ｔｉｍｅ-ｔｏ-ｔｒｉｇｇｅｒのリセットや、周期的なＭｅａｓｕｒｅｍｅｎｔ  ｒｅｐｏｒｔの送信を行うことにより、その他のキャリアに関するＭｅａｓｕｒｅｍｅｎｔ  ｒｅｐｏｒｔの送信が低減されるため、結果として、Ｍｅａｓｕｒｅｍｅｎｔ  ｒｅｐｏｒｔによるオーバヘッドを低減することが可能となる。
【０１４７】
Ｍｅａｓｕｒｅｍｅｎｔ制御信号受信部１０８は、無線基地局ｅＮＢより、Ｍｅａｓｕｒｅｍｅｎｔに関連する制御信号を受信し、その制御信号に含まれる情報を、第１キャリア測定部１０２Ａ、第２キャリア測定部１０２Ｂ、第３キャリア測定部１０２Ｃ、判定部１０４、Ｍｅａｓｕｒｅｍｅｎｔ  ｒｅｐｏｒｔ送信部１０６に通知する。
【０１４８】
例えば、Ｍｅａｓｕｒｅｍｅｎｔ制御信号受信部１０８は、上述のその他のキャリアにおける無線品質が良いセルの数を、無線基地局ｅＮＢより受信し、Ｍｅａｓｕｒｅｍｅｎｔ  ｒｅｐｏｒｔ送信部１０６に通知してもよい。
【０１４９】
また、例えば、Ｍｅａｓｕｒｅｍｅｎｔ制御信号受信部１０８は、上述のその他のキャリアの識別情報を、無線基地局ｅＮＢより受信し、Ｍｅａｓｕｒｅｍｅｎｔ  ｒｅｐｏｒｔ送信部１０６に通知してもよい。
【０１５０】
図１０に示すように、無線基地局ｅＮＢは、Ｍｅａｓｕｒｅｍｅｎｔ制御信号送信部２０２と、Ｍｅａｓｕｒｅｍｅｎｔ  ｒｅｐｏｒｔ受信部２０４と、ハンドオーバ制御部２０６とを具備している。Ｍｅａｓｕｒｅｍｅｎｔ制御信号送信部２０２と、Ｍｅａｓｕｒｅｍｅｎｔ  ｒｅｐｏｒｔ受信部２０４と、ハンドオーバ制御部２０６とは、互いに接続されている。
【０１５１】
Ｍｅａｓｕｒｅｍｅｎｔ制御信号送信部２０２は、移動局ＵＥに対して、Ｍｅａｓｕｒｅｍｅｎｔに関連する制御信号を送信する。
【０１５２】
かかる制御信号には、Ｍｅａｓｕｒｅｍｅｎｔが行われるキャリアの識別情報（ＩＤ）や、測定帯域幅、イベントの識別情報、周期的なＭｅａｓｕｒｅｍｅｎｔ  ｒｅｐｏｒｔの送信の有無、イベントの判定に用いられるヒステリシスやＴＴＴ等が含まれてもよい。かかる制御信号により指定されるキャリアに関して、移動局ＵＥは、Ｍｅａｓｕｒｅｍｅｎｔの処理を行う。
【０１５３】
また、Ｍｅａｓｕｒｅｍｅｎｔ制御信号送信部２０２は、移動局ＵＥに対して、前記制御信号に含まれる情報の一部として、上述のその他のキャリアにおける無線品質が良いセルの数を、移動局ＵＥに対して送信してもよい。
【０１５４】
また、Ｍｅａｓｕｒｅｍｅｎｔ制御信号送信部２０２は、上述のその他のキャリアを、移動局ＵＥに対して指定してもよい。すなわち、Ｍｅａｓｕｒｅｍｅｎｔ制御信号送信部２０２は、上述のその他のキャリアの識別情報を、移動局ＵＥに対して送信してもよい。
【０１５５】
Ｍｅａｓｕｒｅｍｅｎｔ  ｒｅｐｏｒｔ受信部２０４は、移動局ＵＥより送信されたＭｅａｓｕｒｅｍｅｎｔ  ｒｅｐｏｒｔを受信する。
【０１５６】
ここで、かかるＭｅａｓｕｒｅｍｅｎｔ  ｒｅｐｏｒｔには、上述したように、移動局ＵＥにおいてＭｅａｓｕｒｅｍｅｎｔ  ｒｅｐｏｒｔを無線基地局ｅＮＢに通知すると判定したキャリア以外のキャリア（その他のキャリア）に関する無線品質の測定結果が含まれていてもよい。
【０１５７】
なお、Ｍｅａｓｕｒｅｍｅｎｔ  ｒｅｐｏｒｔに含まれる、その他のキャリアに関する無線品質の測定結果に関する説明は、移動局ＵＥに関する説明と同一であるため、省略する。
【０１５８】
Ｍｅａｓｕｒｅｍｅｎｔ  ｒｅｏｒｔ受信部２０４は、移動局ＵＥより通知されたＭｅａｓｕｒｅｍｅｎｔ  ｒｅｐｏｒｔを、ハンドオーバ制御部２０６に通知する。
【０１５９】
ハンドオーバ制御部２０６は、Ｍｅａｓｕｒｅｍｅｎｔ  ｒｅｏｒｔ受信部２０４より、移動局ＵＥより通知されたＭｅａｓｕｒｅｍｅｎｔ  ｒｅｐｏｒｔを受け取る。
【０１６０】
かかるＭｅａｓｕｒｅｍｅｎｔ  ｒｅｐｏｒｔには、上述したように、移動局ＵＥにおいてＭｅａｓｕｒｅｍｅｎｔ  ｒｅｐｏｒｔを無線基地局ｅＮＢに通知すると判定したキャリア以外のキャリア（その他のキャリア）に関する無線品質の測定結果が含まれていてもよい。
【０１６１】
ハンドオーバ制御部２０６は、かかるＭｅａｓｕｒｅｍｅｎｔ  ｒｅｐｏｒｔに基づいて、移動局ＵＥに対してハンドオーバを指示するべきか否かを判定し、前記移動局ＵＥに対してハンドオーバを指示するべきだと判定した場合に、移動局ＵＥに対して、ハンドオーバを指示する制御信号（ハンドオーバコマンド）を送信する。
【０１６２】
ここで、例えば、ハンドオーバ制御部２０６は、Ｍｅａｓｕｒｅｍｅｎｔ  ｒｅｐｏｒｔに含まれる、移動局ＵＥにおいてＭｅａｓｕｒｅｍｅｎｔ  ｒｅｐｏｒｔを無線基地局ｅＮＢに通知すると判定したキャリアに関する情報に加えて、移動局ＵＥにおいてＭｅａｓｕｒｅｍｅｎｔ  ｒｅｐｏｒｔを無線基地局ｅＮＢに通知すると判定したキャリア以外のキャリア（その他のキャリア）に関する情報に基づいて、ハンドオーバを行うか否かを判定してもよい。
【０１６３】
例えば、ハンドオーバ制御部２０６は、かかるＭｅａｓｕｒｅｍｅｎｔ  ｒｅｐｏｒｔにより指定されている、ハンドオーバ先の候補となるセルが、現在のサービングセルと同じ基地局に属するセルである場合には、かかるＭｅａｓｕｒｅｍｅｎｔ  ｒｅｐｏｒｔに基づいて、移動局ＵＥに対して、ハンドオーバを指示する。
【０１６４】
すなわち、ハンドオーバ制御部２０６は、かるＭｅａｓｕｒｅｍｅｎｔ  ｒｅｐｏｒｔにより指定されている、ハンドオーバ先の候補となるセルに対してハンドオーバを行うことを、移動局ＵＥに対して指示する。
【０１６５】
また、例えば、ハンドオーバ制御部２０６は、かかるＭｅａｓｕｒｅｍｅｎｔ  ｒｅｐｏｒｔにより指定されている、ハンドオーバ先の候補となるセルが、現在のサービングセルと異なる基地局に属するセルである場合には、移動局ＵＥにおいてかかるＭｅａｓｕｒｅｍｅｎｔ  ｒｅｐｏｒｔを無線基地局ｅＮＢに通知すると判定したキャリアに関する無線品質の測定結果と、その他のキャリアに関する無線品質の測定結果とに基づいて、移動局ＵＥに対して、ハンドオーバを指示するか否かを判定する。
【０１６６】
そして、ハンドオーバ制御部２０６は、上述の判定により、ハンドオーバを指示すると判定した場合には、かかるハンドオーバを行うことを、移動局ＵＥに対して指示する。
【０１６７】
以下に、ハンドオーバ制御部２０６の具体的な動作を示す。
【０１６８】
例えば、ハンドオーバ制御部２０６は、かかるＭｅａｓｕｒｅｍｅｎｔ  ｒｅｐｏｒｔにより指定されている、ハンドオーバ先の候補となるセルの無線品質と、その他のキャリアにおける、キャリアアグリゲーションにより通信中のセルの無線品質とに基づいて、ハンドオーバを行うか否かを判定してもよい。
【０１６９】
すなわち、ハンドオーバ制御部２０６は、かかるＭｅａｓｕｒｅｍｅｎｔ  ｒｅｐｏｒｔにより指定されている、ハンドオーバ先の候補となるセルの無線品質が、その他のキャリアにおける、キャリアアグリゲーションにより通信中のセルの無線品質よりも良い場合に、ハンドオーバを行うと判定し、それ以外の場合に、ハンドオーバを行わないと判定してもよい。
【０１７０】
また、例えば、ハンドオーバ制御部２０６は、移動局ＵＥにおいてかかるＭｅａｓｕｒｅｍｅｎｔ  ｒｅｐｏｒｔを無線基地局ｅＮＢに通知すると判定したキャリアにおける、無線品質の良いセルの無線品質と、その他のキャリアにおける、無線品質の良いセルの無線品質とに基づいて、ハンドオーバを行うか否かを判定してもよい。
【０１７１】
また、例えば、ハンドオーバ制御部２０６は、移動局ＵＥにおいてかかるＭｅａｓｕｒｅｍｅｎｔ  ｒｅｐｏｒｔを無線基地局ｅＮＢに通知すると判定したキャリアにおける、無線品質の良いセルの無線品質と、その他のキャリアにおける、無線品質の良いセルの無線品質とに基づいて、その他のキャリアを、キャリアアグリゲーションが行われるキャリアから削除するか否かを判定してもよい。
【０１７２】
また、例えば、ハンドオーバ制御部２０６は、移動局ＵＥにおいてかかるＭｅａｓｕｒｅｍｅｎｔ  ｒｅｐｏｒｔを無線基地局ｅＮＢに通知すると判定したキャリアにおける、無線品質の良いセルの無線品質と、その他のキャリアにおける、無線品質の良いセルの無線品質とに基づいて、移動局ＵＥにおいてかかるＭｅａｓｕｒｅｍｅｎｔ  ｒｅｐｏｒｔを無線基地局ｅＮＢに通知すると判定したキャリアを、キャリアアグリゲーションが行われるキャリアから削除するか否かを判定してもよい。
【０１７３】
また、例えば、ハンドオーバ制御部２０６は、移動局ＵＥにおいてかかるＭｅａｓｕｒｅｍｅｎｔ  ｒｅｐｏｒｔを無線基地局ｅＮＢに通知すると判定したキャリアにおける、無線品質の良いセルの無線品質と、その他のキャリアにおける、無線品質の良いセルの無線品質とに基づいて、その他のキャリアを、キャリアアグリゲーションが行われるキャリアに追加するか否かを判定してもよい。
【０１７４】
図１１を用いて、本発明に係る移動局ＵＥにおける通信制御方法を説明する。
【０１７５】
ステップＳ３０２において、移動局ＵＥは、２つ以上のキャリアに関して、通信中のセル又は隣接セルの無線品質を測定する。なお、移動局ＵＥは、無線基地局ｅＮＢより、かかる２つ以上のキャリアに関するＭｅａｓｕｒｅｍｅｎｔを指示される。
【０１７６】
ステップＳ３０４において、移動局ＵＥ（判定部１０４）は、かかる２つ以上のキャリアの中の各キャリアに関して、Ｍｅａｓｕｒｅｍｅｎｔ  ｒｅｐｏｒｔを送信するか否かを判定する。
【０１７７】
なお、かかるＭｅａｓｕｒｅｍｅｎｔ  ｒｅｐｏｒｔは、上述したように、無線基地局ｅＮＢより指定されるイベント（イベントＡ１、Ａ２等）によりその送信がトリガーされてもよいし、周期的な送信が行われてもよい。
【０１７８】
移動局ＵＥが、Ｍｅａｓｕｒｅｍｅｎｔ  ｒｅｐｏｒｔを送信すると判定した場合（ステップＳ３０４：ＹＥＳ）、ステップＳ３０６において、移動局ＵＥは、Ｍｅａｓｕｒｅｍｅｎｔ  ｒｅｐｏｒｔを無線基地局に送信すると判定したキャリア以外のキャリア（その他のキャリア）に関する測定結果をＭｅａｓｕｒｅｍｅｎｔに含めて、Ｍｅａｓｕｒｅｍｅｎｔ  ｒｅｐｏｒｔを送信する。
【０１７９】
また、移動局ＵＥは、Ｍｅａｓｕｒｅｍｅｎｔ  ｒｅｐｏｒｔを送信しないと判定した場合（ステップＳ３０４：ＮＯ）、処理を終了する。
【０１８０】
なお、上述した、無線基地局ｅＮＢから移動局ＵＥへのＭｅａｓｕｒｅｍｅｎｔの指示において、移動局ＵＥは、無線基地局ｅＮＢより、その他のキャリアの識別情報や、その他のキャリアに関する測定結果に含まれるセルの数が指定されてもよい。
【０１８１】
図１２を用いて、本発明に係る無線基地局ｅＮＢにおける通信制御方法を説明する。
【０１８２】
ステップＳ４０２において、無線基地局ｅＮＢは、移動局ＵＥに関して、通信中のセル又は隣接セルの無線品質を測定すること（Ｍｅａｓｕｒｅｍｅｎｔ）を指示する。なお、無線基地局ｅＮＢは、移動局ＵＥに対して、２つ以上のキャリアに関するＭｅａｓｕｒｅｍｅｎｔを指示してもよい。
【０１８３】
ステップＳ４０４において、移動局ＵＥより送信されたＭｅａｓｕｒｅｍｅｎｔ  ｒｅｐｏｒｔを受信する。ここで、かかるＭｅａｓｕｒｅｍｅｎｔ  ｒｅｐｏｒｔには、移動局ＵＥにおいてＭｅａｓｕｒｅｍｅｎｔ  ｒｅｐｏｒｔを無線基地局に送信すると判定したキャリア以外のキャリア（その他のキャリア）に関する測定結果が含まれていてもよい。
【０１８４】
すなわち、無線基地局ｅＮＢは、移動局ＵＥにおいてＭｅａｓｕｒｅｍｅｎｔ  ｒｅｐｏｒｔを無線基地局に送信すると判定したキャリア以外のキャリアに関する測定結果が含まれたＭｅａｓｕｒｅｍｅｎｔ  ｒｅｐｏｒｔを受信する。
【０１８５】
なお、ステップＳ４０２における、無線基地局ｅＮＢから移動局ＵＥへのＭｅａｓｕｒｅｍｅｎｔの指示において、無線基地局ｅＮＢは、移動局ＵＥに対して、その他のキャリアの識別情報や、その他のキャリアに関する測定結果に含まれるセルの数を指定してもよい。
【０１８６】
以下に、移動局ＵＥが、Ｍｅａｓｕｒｅｍｅｎｔ  ｒｅｐｏｒｔの中に、Ｍｅａｓｕｒｅｍｅｎｔ  ｒｅｐｏｒｔを無線基地局に送信すると判定したキャリア以外のキャリア（その他のキャリア）に関する測定結果を含めることの効果を説明する。
【０１８７】
例えば、図１３を用いて、かかる効果を説明する。
【０１８８】
図１３においては、横軸は、移動局ＵＥの位置を示す軸であり、縦軸は、周波数或いはキャリアを示す軸である。また、図１３においては、移動局ＵＥは、Ｃｅｌｌ＃１-ＡとＣｅｌｌ＃２-Ａとキャリアアグリゲーションを行っている。
【０１８９】
そして、移動局ＵＥは、図１３の左方向から右方向に移動を行うため、近い将来において、Ｃｅｌｌ＃１-Ａ/Ｃｅｌｌ＃２-Ａから、Ｃｅｌｌ＃１-Ｂ/Ｃｅｌｌ＃２-Ｂにハンドオーバを行うと想定される。
【０１９０】
ここで、本発明に係る移動局ＵＥは、コンポーネントキャリア＃２に関してＭｅａｓｕｒｅｍｅｎｔ  ｒｅｐｏｒｔが送信される場合に、そのＭｅａｓｕｒｅｍｅｎｔ  ｒｅｐｏｒｔ内に、コンポーネントキャリア＃１における無線品質の測定結果を通知する。
【０１９１】
なお、上述の例においては、コンポーネントキャリア＃１に関するＭｅａｓｕｒｅｍｅｎｔ  ｒｅｐｏｒｔは、まだ送信されていないとする。
【０１９２】
この場合、無線基地局ｅＮＢは、コンポーネントキャリア＃２に関するハンドオーバ（Ｃｅｌｌ＃２-ＡからＣｅｌｌ＃２-Ｂへのハンドオーバ）を指示する場合に、前記コンポーネントキャリア＃１における無線品質の測定結果に基づいて、コンポーネントキャリア＃１に関するハンドオーバ（Ｃｅｌｌ＃１-ＡからＣｅｌｌ＃１-Ｂへのハンドオーバ）も同時に指示することが可能となる。
【０１９３】
前記コンポーネントキャリア＃１における無線品質の測定結果が存在しない場合、無線基地局ｅＮＢは、Ｃｅｌｌ＃１-ＡからＣｅｌｌ＃１-Ｂへのハンドオーバが適切であるか否かを判定できないため、上述のような処理を行うことができない。
【０１９４】
結果として、本発明による移動局ＵＥにより、コンポーネントキャリア＃１に関するＭｅａｓｕｒｅｍｅｎｔ  ｒｅｐｏｒｔは不要となり、制御信号のオーバヘッドが削減される。
【０１９５】
或いは、例えば、図１４を用いて、かかる効果を説明する。
【０１９６】
図１４においては、横軸は、移動局ＵＥの位置を示す軸であり、縦軸は、周波数或いはキャリアを示す軸である。また、図１４においては、移動局ＵＥは、Ｃｅｌｌ＃１-ＡとＣｅｌｌ＃１-Ｂとキャリアアグリゲーションを行っている。また、Ｃｅｌｌ＃１-ＡとＣｅｌｌ＃２-Ａは、無線基地局ｅＮＢ＃ａに属し、Ｃｅｌｌ＃１-ＢとＣｅｌｌ＃２-Ｂは、無線基地局ｅＮＢ＃ｂに属する。
【０１９７】
そして、移動局ＵＥは、図１４の左方向から右方向に移動を行うため、近い将来において、Ｃｅｌｌ＃１-Ａ/Ｃｅｌｌ＃２-Ａから、Ｃｅｌｌ＃１-Ｂ/Ｃｅｌｌ＃２-Ｂにハンドオーバを行うと想定される。
【０１９８】
但し、図１４においては、Ｃｅｌｌ＃１-ＡからＣｅｌｌ＃１-Ｂへハンドオーバを行うポイント（ポイント１０）と、Ｃｅｌｌ＃２-ＢからＣｅｌｌ＃２-Ｂへハンドオーバを行うポイント（ポイント２０）とが、地理的に異なる。
【０１９９】
ここで、本発明に係る移動局ＵＥは、コンポーネントキャリア＃１に関するＭｅａｓｕｒｅｍｅｎｔ  ｒｅｐｏｒｔが送信される場合に、そのＭｅａｓｕｒｅｍｅｎｔ  ｒｅｐｏｒｔ内に、コンポーネントキャリア＃２における無線品質の測定結果を通知する。
【０２００】
なお、上述の例においては、コンポーネントキャリア＃２に関するＭｅａｓｕｒｅｍｅｎｔ  ｒｅｐｏｒｔは、まだ送信されていないとする。
【０２０１】
この場合、無線基地局ｅＮＢは、かかるコンポーネントキャリア＃２における無線品質の測定結果に基づいて、さまざまな判定を行い、かつ、その判定に基づいた制御を行うことが可能となる。
【０２０２】
例えば、無線基地局ｅＮＢは、かかるコンポーネントキャリア＃２における無線品質の測定結果において、Ｃｅｌｌ＃２-Ａの無線品質が極めて良い場合に、Ｃｅｌｌ＃１-ＡからＣｅｌｌ＃１-Ｂへのハンドオーバを指示せず、Ｃｅｌｌ＃１-Ａをキャリアアグリゲーションにより通信中であるセルのリストから削除するという処理を行ってもよい。
【０２０３】
これは、Ｃｅｌｌ＃１-ＡからＣｅｌｌ＃１-Ｂへのハンドオーバは、無線基地局間のハンドオーバであるため、Ｃｅｌｌ＃２-を削除する必要があるが、Ｃｅｌｌ＃１-ＡからＣｅｌｌ＃１-Ｂにハンドオーバを行うよりも、Ｃｅｌｌ＃２-Ｂとの通信を継続した方が、通信品質的に良いためである。
【０２０４】
なお、通信品質的に良いとは、例えば、スループットが高いという意味であってもよく、或いは、Ｍｏｂｉｌｉｔｙ特性という点では、接続性が安定しているという意味であってもよい。
【０２０５】
例えば、無線基地局ｅＮＢは、かかるコンポーネントキャリア＃２における無線品質の測定結果において、Ｃｅｌｌ＃２-Ａの無線品質が悪い場合に、Ｃｅｌｌ＃１-ＡからＣｅｌｌ＃１-Ｂへのハンドオーバを指示し、かつ、Ｃｅｌｌ＃２-Ａをキャリアアグリゲーションにより通信中であるセルのリストから削除するという処理を行ってもよい。
【０２０６】
これは、Ｃｅｌｌ＃１-ＡからＣｅｌｌ＃１-Ｂへのハンドオーバは、無線基地局間のハンドオーバであるため、Ｃｅｌｌ＃２-Ａを削除する必要があり、Ｃｅｌｌ＃１-ＡからＣｅｌｌ＃１-Ｂにハンドオーバを行う方が、Ｃｅｌｌ＃２-Ｂとの通信を継続するよりも、通信品質的に良いためである。
【０２０７】
なお、通信品質的に良いとは、例えば、スループットが高いという意味であってもよく、或いは、Ｍｏｂｉｌｉｔｙ特性という点では、接続性が安定しているという意味であってもよい。
【０２０８】
例えば、無線基地局ｅＮＢは、かかるコンポーネントキャリア＃２における無線品質の測定結果において、Ｃｅｌｌ＃２-Ａの無線品質が比較的悪く、かつ、Ｃｅｌｌ＃２-Ｂの無線品質が比較的良い場合に、Ｃｅｌｌ＃１-ＡからＣｅｌｌ＃１-Ｂへのハンドオーバを指示し、かつ、Ｃｅｌｌ＃２-ＡからＣｅｌｌ＃２-Ｂへのハンドオーバを指示するという処理を行ってもよい。
【０２０９】
これは、Ｃｅｌｌ＃１-ＡからＣｅｌｌ＃１-Ｂへのハンドオーバは、無線基地局間のハンドオーバであるため、Ｃｅｌｌ＃２-Ａを削除する必要があり、ハンドオーバ先の無線基地局Ｃｅｌｌ＃２-Ｂの無線品質が比較的良いため、Ｃｅｌｌ＃１-ＡからＣｅｌｌ＃１-Ｂからのハンドオーバに加えて、Ｃｅｌｌ＃２-ＡからＣｅｌｌ＃２-Ｂへのハンドオーバを同時に指示した方が通信品質的に良いためである。
【０２１０】
なお、通信品質的に良いとは、例えば、スループットが高いという意味であってもよく、或いは、Ｍｏｂｉｌｉｔｙ特性という点では、接続性が安定しているという意味であってもよい。
【０２１１】
上述した例においては、Ｍｅａｓｕｒｅｍｅｎｔが行われているキャリアのそれぞれに関して、Ｍｅａｓｕｒｅｍｅｎｔ  ｒｅｐｏｒｔが送信される場合を示したが、Ｍｅａｓｕｒｅｍｅｎｔが行われている複数のキャリアに関して、Ｍｅａｓｕｒｅｍｅｎｔ  ｒｅｐｏｒｔが送信される場合に関しても同様に、本発明に係る移動局、無線基地局、通信制御方法が適用されてもよい。
【０２１２】
上述した例においては、キャリアアグリゲーションが行われているキャリアの数が２であり、キャリアアグリゲーションが行われていないが、Ｍｅａｓｕｒｅｍｅｎｔが行われているキャリアの数が１である場合を示したが、上記キャリアの数は一例であり、上記以外のキャリア数である場合にも、本発明に係る移動局、無線基地局、通信制御方法が適用されてもよい。
【０２１３】
また、上述した例においては、移動局ＵＥは、Ｍｅａｓｕｒｅｍｅｎｔ  ｒｅｐｏｒｔを送信する場合に、Ｍｅａｓｕｒｅｍｅｎｔ  ｒｅｐｏｒｔが送信されると判定されたキャリア以外のキャリアに関する無線品質の測定結果を、Ｍｅａｓｕｒｅｍｅｎｔ  ｒｅｐｏｒｔに含めるが、代わりに、移動局ＵＥは、ハンドオーバの完了を通知する制御信号を送信する場合に、その他のキャリアに関する無線品質の測定結果を、前記制御信号に含めてもよい。
【０２１４】
この場合、その他のキャリアは、上述した例と同様に、Ｍｅａｓｕｒｅｍｅｎｔ  ｒｅｐｏｒｔが送信されると判定されたキャリア以外のキャリアであってもよいし、ハンドオーバが行われるキャリア以外のキャリアであってもよい。
【０２１５】
前記制御信号は、ハンドオーバコンプリートであってもよい。ハンドオーバコンプリートに、その他のキャリアに関する無線品質の測定結果が含められる処理の詳細は、Ｍｅａｓｕｒｅｍｅｎｔ  ｒｅｐｏｒｔに、その他のキャリアに関する無線品質の測定結果が含められる処理の詳細と同様であるため、省略する。
【０２１６】
なお、移動局ＵＥがハンドオーバコンプリートを送信する場合、例えば、無線基地局ｅＮＢからのハンドオーバの指示は、Ｍｅａｓｕｒｅｍｅｎｔ制御信号受信部１０８が受信し、ハンドオーバコンプリートは、Ｍｅａｓｕｒｅｍｅｎｔ  ｒｅｐｏｒｔ送信部１０６が送信してもよい。
【０２１７】
Ｍｅａｓｕｒｅｍｅｎｔ  ｒｅｐｏｒｔは、ハンドオーバ元の無線基地局に送信されるが、ハンドオーバコンプリートは、ハンドオーバ先の無線基地局に送信される。
【０２１８】
よって、ハンドオーバコンプリートに、その他のキャリアに関する無線品質の測定結果が含められることにより、ハンドオーバ先の無線基地局は、ハンドオーバ後すぐに、無線品質の良いセルを用いたキャリアアグリゲーションを設定することが可能となる。
【０２１９】
以上に述べた本実施形態の特徴は、以下のように表現されていてもよい。
【０２２０】
本実施形態の第１の特徴は、２つ以上のキャリアを用いて無線基地局ｅＮＢと通信を行う移動局ＵＥであって、２つ以上のキャリア内の各キャリアに関して、通信中のセル又は隣接セルの無線品質を測定するように構成されているキャリア測定部１０２と、２つ以上のキャリア内の各キャリアに関して、キャリア測定部１０２における測定結果を無線基地局ｅＮＢに通知するか否かについて判定するように構成されている判定部１０４と、判定部１０４が、キャリア測定部１０２における測定結果を無線基地局ｅＮＢに通知すると判定した場合に、測定部１０２における測定結果を無線基地局ｅＮに送信するように構成されているＭｅａｓｕｒｅｍｅｎｔ  ｒｅｐｏｒｔ送信部１０６とを具備し、Ｍｅａｓｕｒｅｍｅｎｔ  ｒｅｐｏｒｔ送信部１０６は、判定部１０４によってキャリア測定部１０２における測定結果を無線基地局ｅＮＢに通知すると判定されたキャリアに関する測定結果に加えて、かかるキャリア以外のキャリアに関する測定結果を送信するように構成されていることを要旨とする。
【０２２１】
本実施形態の第１の特徴において、上述の無線品質は、リファレンス信号の受信電力、リファレンス信号の受信品質、リファレンス信号のＳＩＲ、Ｃｈａｎｎｅｌ  Ｑｕａｌｉｔｙ  Ｉｎｄｉｃａｔｏｒ、Ｃｈａｎｎｅｌ  Ｓｔａｔｅ  Ｉｎｆｏｒｍａｔｉｏｎの少なくとも１つであってもよい。
【０２２２】
本実施形態の第１の特徴において、判定部１０４は、隣接セルの無線品質が、通信中のセルの無線品質よりも所定のオフセット分だけ良くなった場合、或いは、通信中のセルの無線品質が第１閾値よりも良くなった場合、或いは、通信中のセルの無線品質が第２閾値よりも悪くなった場合、或いは、隣接セルの無線品質が第５閾値よりも良くなった場合、或いは、隣接セルの無線品質が、通信中のセルの無線品質が第３閾値よりも悪くなり、かつ、隣接セルの無線品質が第４閾値よりも良くなった場合、或いは、測定結果を周期的に送信する場合の送信タイミングである場合の少なくとも１つの場合に、キャリア測定部１０２における測定結果を無線基地局ｅＮＢに通知すると判定してもよい。
【０２２３】
本実施形態の第１の特徴において、Ｍｅａｓｕｒｅｍｅｎｔ  ｒｅｐｏｒｔ送信部１０６は、判定部１０４によってキャリア測定部１０２における測定結果を無線基地局ｅＮＢに通知すると判定されたキャリア以外のキャリアに関する測定結果として、所定数のセルのＩＤ及び当該セルの無線品質を、無線品質が良い順番に送信してもよい。
【０２２４】
本実施形態の第１の特徴において、判定部１０４によってキャリア測定部１０２における測定結果を無線基地局ｅＮＢに通知すると判定されたキャリア以外のキャリアが複数存在する場合に、Ｍｅａｓｕｒｅｍｅｎｔ  ｒｅｐｏｒｔ送信部１０６は、各キャリアに関して、所定数のセルのＩＤ及び当該セルの無線品質を、無線品質が良い順番に送信してもよい。
【０２２５】
本実施形態の第１の特徴において、判定部１０４によってキャリア測定部１０２における測定結果を無線基地局ｅＮＢに通知すると判定されたキャリア以外のキャリアが複数存在する場合に、Ｍｅａｓｕｒｅｍｅｎｔ  ｒｅｐｏｒｔ送信部１０６は、全てのキャリアに関して、所定数のセルのＩＤ及び当該セルの無線品質を、無線品質が良い順番に送信してもよい。
【０２２６】
さらに、本実施形態の第１の特徴において、上述の所定数は、無線基地局ｅＮＢより、移動局ＵＥに対して通知されてもよい。
【０２２７】
本実施形態の第１の特徴において、判定部１０４によってキャリア測定部１０２における測定結果を無線基地局ｅＮＢに通知すると判定されたキャリア以外のキャリアは、無線基地局ｅＮＢより、移動局ＵＥに対して指定されてもよい。
【０２２８】
本実施形態の第１の特徴において、Ｍｅａｓｕｒｅｍｅｎｔ  ｒｅｐｏｒｔ送信部１０６は、判定部１０４によってキャリア測定部１０２における測定結果を無線基地局ｅＮＢに通知すると判定されたキャリア以外のキャリアに関する測定結果として、キャリアアグリゲーションにより通信中であるセルのＩＤ及び当該セルの無線品質を送信してもよい。
【０２２９】
本実施形態の第２の特徴は、２つ以上のキャリアを用いて移動局ＵＥと通信を行う無線基地局ｅＮＢであって、移動局ＵＥに対して、通信中のセル又は隣接セルの無線品質の測定を指示する制御信号を送信するように構成されているＭｅａｓｕｒｅｍｅｎｔ制御信号送信部２０２と、移動局ＵＥから、２つ以上のキャリア内の各キャリアに関する測定結果を受信するように構成されているＭｅａｓｕｒｅｍｅｎｔ  ｒｅｐｏｒｔ受信部２０４とを具備し、上述の測定結果には、無線基地局ｅＮＢに通知されると判定されたキャリアに関する測定結果に加えて、かかるキャリア以外のキャリアに関する測定結果が含まれることを要旨とする。
【０２３０】
本実施形態の第２の特徴において、Ｍｅａｓｕｒｅｍｅｎｔ制御信号送信部２０２は、隣接セルの無線品質が、通信中のセルの無線品質よりも所定のオフセット分だけ良くなった場合、或いは、通信中のセルの無線品質が第１閾値よりも良くなった場合、或いは、通信中のセルの無線品質が第２閾値よりも悪くなった場合、或いは、隣接セルの無線品質が第５閾値よりも良くなった場合、或いは、隣接セルの無線品質が、通信中のセルの無線品質が第３閾値よりも悪くなり、かつ、隣接セルの無線品質が第４閾値よりも良くなった場合、或いは、測定結果を周期的に送信する場合の送信タイミングである場合、の少なくとも１つの場合に、キャリア測定部１０２における測定結果を無線基地局ｅＮＢに通知することを移動局ＵＥに対して指示してもよい。
【０２３１】
本実施形態の第２の特徴において、上述の測定結果には、無線基地局ｅＮＢに通知されると判定されたキャリア以外のキャリアに関する測定結果として、所定数のセルのＩＤ及び当該セルの無線品質が、無線品質が良い順番に含まれてもよい。
【０２３２】
本実施形態の第２の特徴において、無線基地局ｅＮＢに通知されると判定されたキャリア以外のキャリアが複数存在する場合に、各キャリアに関して、所定数の、セルのＩＤ及び当該セルの無線品質が、無線品質が良い順番に含まれてもよい。
【０２３３】
本実施形態の第２の特徴において、無線基地局ｅＮＢに通知されると判定されたキャリア以外のキャリアが複数存在する場合に、全てのキャリアに関して、所定数のセルのＩＤ及び当該セルの無線品質が、無線品質が良い順番に含まれてもよい。
【０２３４】
本実施形態の第２の特徴において、Ｍｅａｓｕｒｅｍｅｎｔ制御信号送信部２０２は、上述の所定数を移動局ＵＥに対して通知してもよい。
【０２３５】
本実施形態の第２の特徴において、Ｍｅａｓｕｒｅｍｅｎｔ制御信号送信部２０２は、無線基地局ｅＮＢに通知されると判定されたキャリア以外のキャリアを移動局ＵＥに対して指定してもよい。
【０２３６】
本実施形態の第２の特徴において、上述の測定結果には、無線基地局ｅＮＢに通知されると判定されたキャリア以外のキャリアに関する測定結果として、キャリアアグリゲーションにより通信中であるセルのＩＤ及び当該セルの無線品質が含まれてもよい。
【０２３７】
本実施形態の第３の特徴は、２つ以上のキャリアを用いて無線基地局ｅＮＢと通信を行う移動局ＵＥにおける通信制御方法であって、２つ以上のキャリア内の各キャリアに関して、通信中のセル又は隣接セルの無線品質を測定する第１ステップと、２つ以上のキャリア内の各キャリアに関して、上述の測定結果を無線基地局ｅＮＢに通知するか否かについて判定する第２ステップと、上述の測定結果を無線基地局ｅＮＢに通知すると判定された場合に、かかる測定結果を無線基地局ｅＮＢに送信する第３ステップとを備え、第３ステップにおいて、上述の測定結果を無線基地局ｅＮＢに通知すると判定されたキャリアに関する測定結果に加えて、かかるキャリア以外のキャリアに関する測定結果が送信されることを要旨とする。
【０２３８】
本実施形態の第４の特徴は、２つ以上のキャリアを用いて移動局ＵＥと通信を行う無線基地局ｅＮＢにおける通信制御方法であって、移動局ＵＥに対して、通信中のセル又は隣接セルの無線品質の測定を指示する制御信号を送信する第１ステップと、移動局ＵＥから、２つ以上のキャリア内の各キャリアに関する測定結果を受信する第２ステップとを備え、第２ステップにおいて、かかる測定結果に、無線基地局ｅＮＢに通知されると判定されたキャリアに関する測定結果に加えて、かかるキャリア以外のキャリアに関する測定結果が含まれることを要旨とする。
【０２３９】
本実施形態の第５の特徴は、２つ以上のキャリアを用いて無線基地局ｅＮＢと通信を行う移動局ＵＥであって、２つ以上のキャリア内の各キャリアに関して、通信中のセル又は隣接セルの無線品質を測定するように構成されているキャリア測定部１０２と、ハンドオーバ元の無線基地局からハンドオーバを指示する制御信号を受信するように構成されており、ハンドオーバ先の無線基地局からハンドオーバを完了したことを通知する制御信号を送信するように構成されているハンドオーバ制御部２０６を具備し、ハンドオーバ制御部２０６は、上述の制御信号に加えて、ハンドオーバを行うキャリア以外のキャリアに関する測定結果を送信するように構成されていることを要旨とする。
【０２４０】
なお、上述の移動局ＵＥや無線基地局ｅＮＢの動作は、ＬＴＥ−Ａｄｖａｎｃｅｄが適用されるシステム以外の移動局や無線基地局及び制御局に適用されてもよい。例えば、ＬＴＥやＷＣＤＭＡ、ＣＤＭＡ２０００やＷｉＭＡＸにおける移動局や無線基地局及び制御局に適用されてもよい。
【０２４１】
例えば、ＷＣＤＭＡシステムにおいて通信を行う移動局は、Ｉｎｔｅｒ−ＲＡＴ（Ｒａｄｉｏ  Ａｃｃｅｓｓ  Ｔｅｃｈｎｏｌｏｇｙ）  Ｍｅａｓｕｒｅｍｅｎｔにより、ＬＴＥ−Ａｄｖａｎｃｅｄシステムの２つ以上のキャリアのＭｅａｓｕｒｅｍｅｎｔを行う場合に、上述の移動局ＵＥの動作が適用されてもよい。また、この場合、制御局（Ｒａｄｉｏ  Ｎｅｔｗｏｒｋ  Ｃｏｎｔｒｏｌｌｅｒ）が、本発明に係る無線基地局ｅＮＢの動作を行う。すなわち、前記制御局に、上述の無線基地局ｅＮＢの動作が適用されてもよい。
【０２４２】
或いは、例えば、ＬＴＥシステムにおいて通信を行う移動局は、２つ以上のキャリアのＭｅａｓｕｒｅｍｅｎｔを行う場合に、上述の移動局ＵＥの動作が適用されてもよい。また、この場合、ＬＴＥシステムの無線基地局ｅＮＢに、上述の無線基地局ｅＮＢの動作が適用されてもよい。
【０２４３】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【０２４４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０２４５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【０２４６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【０２４７】
ＵＥ…移動局
１０２…キャリア測定部
１０２Ａ…第１キャリア測定部
１０２Ｂ…第２キャリア測定部
１０２Ｃ…第３キャリア測定部
１０４…判定部
１０６…Ｍｅａｓｕｒｅｍｅｎｔ  ｒｅｐｏｒｔ送信部
１０８…Ｍｅａｓｕｒｅｍｅｎｔ制御信号受信部
ｅＮＢ…無線基地局
２０２…Ｍｅａｓｕｒｅｍｅｎｔ制御信号送信部
２０４…Ｍｅａｓｕｒｅｍｅｎｔ  ｒｅｐｏｒｔ受信部
２０６…ハンドオーバ制御部
【図１】
2011166713.tif 000003
【図２】
2011166713.tif 000004
【図３】
2011166713.tif 000005
【図４】
2011166713.tif 000006
【図５】
2011166713.tif 000007
【図６】
2011166713.tif 000008
【図７】
2011166713.tif 000009
【図８】
2011166713.tif 000010
【図９】
2011166713.tif 000011
【図１０】
2011166713.tif 000012
【図１１】
2011166713.tif 000013
【図１２】
2011166713.tif 000014
【図１３】
2011166713.tif 000015
【図１４】
2011166713.tif 000016
【手続補正書】
【提出日】平成23年2月14日(2011.2.14)
【手続補正１】
【補正対象書類名】明細書
【補正対象項目名】００２８
【補正方法】変更
【補正の内容】
【００２８】
また、Ｃｅｌｌ＃１-Ａ、Ｃｅｌｌ＃１-Ｂ、Ｃｅｌｌ＃２-Ａ、Ｃｅｌｌ＃２-Ｂが、無線基地局＃ａに属しているセルであり、Ｃｅｌｌ＃１-Ｃ、Ｃｅｌｌ＃１-Ｄ、Ｃｅｌｌ＃２-Ｃが、無線基地局＃ｂに属しているセルである。
【手続補正２】
【補正対象書類名】明細書
【補正対象項目名】００６５
【補正方法】変更
【補正の内容】
【００６５】
また、「物理上りリンク制御チャネル（ＰＵＣＣＨ）」により、「物理上りリンク共有チャネル（ＰＵＳＣＨ）」のスケジューリング処理や適応変復調及び符号化処理（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：Ｃｈａｎｎｅｌ  Ｑｕａｌｉｔｙ  Ｉｎｄｉｃａｔｏｒ）、及び、「物理下りリンク共有チャネル（ＰＤＳＣＨ）」における送達確認情報（Ａｃｋｎｏｗｌｅｄｇｅｍｅｎｔ  Ｉｎｆｏｒｍａｔｉｏｎ）が伝送される。
【手続補正３】
【補正対象書類名】明細書
【補正対象項目名】０１９８
【補正方法】変更
【補正の内容】
【０１９８】
但し、図１４においては、Ｃｅｌｌ＃１-ＡからＣｅｌｌ＃１-Ｂへハンドオーバを行うポイント（ポイント１０）と、Ｃｅｌｌ＃２-ＡからＣｅｌｌ＃２-Ｂへハンドオーバを行うポイント（ポイント２０）とが、地理的に異なる。
【手続補正４】
【補正対象書類名】明細書
【補正対象項目名】０２０３
【補正方法】変更
【補正の内容】
【０２０３】
これは、Ｃｅｌｌ＃１-ＡからＣｅｌｌ＃１-Ｂへのハンドオーバは、無線基地局間のハンドオーバであるため、Ｃｅｌｌ＃２-Ａを削除する必要があるが、Ｃｅｌｌ＃１-ＡからＣｅｌｌ＃１-Ｂにハンドオーバを行うよりも、Ｃｅｌｌ＃２-Ａとの通信を継続した方が、通信品質的に良いためである。
【手続補正５】
【補正対象書類名】明細書
【補正対象項目名】０２０６
【補正方法】変更
【補正の内容】
【０２０６】
これは、Ｃｅｌｌ＃１-ＡからＣｅｌｌ＃１-Ｂへのハンドオーバは、無線基地局間のハンドオーバであるため、Ｃｅｌｌ＃２-Ａを削除する必要があり、Ｃｅｌｌ＃１-ＡからＣｅｌｌ＃１-Ｂにハンドオーバを行う方が、Ｃｅｌｌ＃２-Ａとの通信を継続するよりも、通信品質的に良いためである。
【手続補正６】
【補正対象書類名】明細書
【補正対象項目名】０２４６
【補正方法】変更
【補正の内容】
【０２４６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【手続補正７】
【補正対象書類名】特許請求の範囲
【補正対象項目名】全文
【補正方法】変更
【補正の内容】
【特許請求の範囲】
【請求項１】
２つ以上のキャリアを用いて無線基地局と通信を行う移動局であって、
前記２つ以上のキャリア内の各キャリアに関して、通信中のセル又は隣接セルの無線品質を測定するように構成されている測定部と、
前記２つ以上のキャリア内の各キャリアに関して、前記測定部における測定結果を前記無線基地局に通知するか否かについて判定するように構成されている判定部と、
前記判定部が、前記測定部における測定結果を前記無線基地局に通知すると判定した場合に、前記測定部における測定結果を前記無線基地局に送信するように構成されている送信部とを具備し、
前記送信部は、前記判定部によって前記測定部における測定結果を前記無線基地局に通知すると判定されたキャリアに関する測定結果に加えて、前記キャリア以外のキャリアに関する測定結果を送信するように構成されていることを特徴とする移動局。
【請求項２】
前記無線品質は、リファレンス信号の受信電力、リファレンス信号の受信品質、リファレンス信号のＳＩＲ、Ｃｈａｎｎｅｌ  Ｑｕａｌｉｔｙ  Ｉｎｄｉｃａｔｏｒ、Ｃｈａｎｎｅｌ  Ｓｔａｔｅ  Ｉｎｆｏｒｍａｔｉｏｎの少なくとも１つであることを特徴とする請求項１に記載の移動局。
【請求項３】
前記判定部は、
隣接セルの無線品質が、通信中のセルの無線品質よりも所定のオフセット分だけ良くなった場合、或いは、
通信中のセルの無線品質が第１閾値よりも良くなった場合、或いは、
通信中のセルの無線品質が第２閾値よりも悪くなった場合、或いは、
隣接セルの無線品質が第５閾値よりも良くなった場合、或いは、
隣接セルの無線品質が、通信中のセルの無線品質が第３閾値よりも悪くなり、かつ、隣接セルの無線品質が第４閾値よりも良くなった場合、或いは、
測定結果を周期的に送信する場合の送信タイミングである場合の少なくとも１つの場合に、
前記測定部における測定結果を、前記無線基地局に通知すると判定するように構成されていることを特徴とする請求項１に記載の移動局。
【請求項４】
前記送信部は、前記判定部によって前記測定部における測定結果を前記無線基地局に通知すると判定されたキャリア以外のキャリアに関する測定結果として、所定数のセルのＩＤ及び前記セルの無線品質を、無線品質が良い順番に送信するように構成されていることを特徴とする請求項１に記載の移動局。
【請求項５】
前記送信部は、前記判定部によって前記測定部における測定結果を前記無線基地局に通知すると判定されたキャリア以外のキャリアに関する測定結果として、キャリアアグリゲーションが行われているセルの無線品質を送信するように構成されていることを特徴とする請求項１に記載の移動局。
【請求項６】
前記送信部は、前記判定部によって前記測定部における測定結果を前記無線基地局に通知すると判定されたキャリア以外のキャリアに関する測定結果として、キャリアアグリゲーションが行われているセルであるサービングセルの無線品質を送信するように構成されていることを特徴とする請求項１に記載の移動局。
【請求項７】
前記送信部は、前記判定部によって前記測定部における測定結果を前記無線基地局に通知すると判定されたキャリア以外のキャリアに関する測定結果として、キャリアアグリゲーションが行われているセルの無線品質と、前記キャリアアグリゲーションが行われているセルではないセルで、最も無線品質が良いセルのＩＤ及び前記セルの無線品質を送信するように構成されていることを特徴とする請求項１に記載の移動局。
【請求項８】
前記送信部は、前記判定部によって前記測定部における測定結果を前記無線基地局に通知すると判定されたキャリア以外のキャリアに関する測定結果として、サービングセルの無線品質と、前記サービングセルではないセルで、最も無線品質が良いセルのＩＤ及び前記セルの無線品質を送信するように構成されていることを特徴とする請求項１に記載の移動局。
【請求項９】
前記送信部は、前記判定部によって前記測定部における測定結果を前記無線基地局に通知すると判定されたキャリア以外のキャリアに関する測定結果として、キャリアアグリゲーションが行われているセルであるサービングセルの無線品質と、前記サービングセル以外のセルで、最も無線品質が良いセルのＩＤ及び前記セルの無線品質を送信するように構成されていることを特徴とする請求項１に記載の移動局。
【請求項１０】
前記送信部は、前記判定部によって前記測定部における測定結果を前記無線基地局に通知すると判定されたキャリア以外のキャリアに関する測定結果として、キャリアアグリゲーションが行われているセルではないセルで、最も無線品質が良いセルのＩＤ及び前記セルの無線品質を送信するように構成されていることを特徴とする請求項１に記載の移動局。
【請求項１１】
前記送信部は、前記判定部によって前記測定部における測定結果を前記無線基地局に通知すると判定されたキャリア以外のキャリアに関する測定結果として、サービングセルではないセルで、最も無線品質が良いセルのＩＤ及び前記セルの無線品質を送信するように構成されていることを特徴とする請求項１に記載の移動局。
【請求項１２】
前記送信部は、前記判定部によって前記測定部における測定結果を前記無線基地局に通知すると判定されたキャリア以外のキャリアに関する測定結果として、キャリアアグリゲーションが行われているセルであるサービングセルではないセルで、最も無線品質が良いセルのＩＤ及び前記セルの無線品質を送信するように構成されていることを特徴とする請求項１に記載の移動局。
【請求項１３】
前記判定部によって前記測定部における測定結果を前記無線基地局に通知すると判定されたキャリア以外のキャリアが複数存在する場合に、前記送信部は、各キャリアに関して、所定数のセルのＩＤ及び前記セルの無線品質を、無線品質が良い順番に送信するように構成されていることを特徴とする請求項１に記載の移動局。
【請求項１４】
前記判定部によって前記測定部における測定結果を前記無線基地局に通知すると判定されたキャリア以外のキャリアが複数存在する場合に、前記送信部は、全てのキャリアに関して、所定数のセルのＩＤ及び前記セルの無線品質を、無線品質が良い順番に送信するように構成されていることを特徴とする請求項１に記載の移動局。
【請求項１５】
前記所定数は、前記無線基地局より、前記移動局に対して通知されることを特徴とする請求項４に記載の移動局。
【請求項１６】
前記判定部によって前記測定部における測定結果を前記無線基地局に通知すると判定されたキャリア以外のキャリアは、前記無線基地局より、前記移動局に対して指定されることを特徴とする請求項１に記載の移動局。
【請求項１７】
前記送信部は、前記無線基地局より、前記測定結果を前記無線基地局に通知すると判定されたキャリア以外のキャリアに関する測定結果を通知することを指示された場合に、前記キャリア以外のキャリアに関する測定結果を送信するように構成されていることを特徴とする請求項１に記載の移動局。
【請求項１８】
前記送信部は、前記判定部によって前記測定部における測定結果を前記無線基地局に通知すると判定されたキャリア以外のキャリアに関する測定結果として、キャリアアグリゲーションにより通信中であるセルのＩＤ及び前記セルの無線品質を送信するように構成されていることを特徴とする請求項１に記載の移動局。
【請求項１９】
２つ以上のキャリアを用いて移動局と通信を行う無線基地局であって、
前記移動局に対して、通信中のセル又は隣接セルの無線品質の測定を指示する制御信号を送信するように構成されている測定指示部と、
前記移動局から、前記２つ以上のキャリア内の各キャリアに関する測定結果を受信するように構成されている受信部とを具備し、
前記測定結果には、前記無線基地局に通知されると判定されたキャリアに関する測定結果に加えて、前記キャリア以外のキャリアに関する測定結果が含まれることを特徴とする無線基地局。
【請求項２０】
前記測定指示部は、
隣接セルの無線品質が、通信中のセルの無線品質よりも所定のオフセット分だけ良くなった場合、或いは、
通信中のセルの無線品質が第１閾値よりも良くなった場合、或いは、
通信中のセルの無線品質が第２閾値よりも悪くなった場合、或いは、
隣接セルの無線品質が第５閾値よりも良くなった場合、或いは、
隣接セルの無線品質が、通信中のセルの無線品質が第３閾値よりも悪くなり、かつ、隣接セルの無線品質が第４閾値よりも良くなった場合、或いは、
測定結果を周期的に送信する場合の送信タイミングである場合の少なくとも１つの場合に、
前記測定部における測定結果を前記無線基地局に通知することを、前記移動局ＵＥに対して指示するように構成されていることを特徴とする請求項１９に記載の無線基地局。
【請求項２１】
前記測定結果には、前記無線基地局に通知されると判定されたキャリア以外のキャリアに関する測定結果として、所定数のセルのＩＤ及び前記セルの無線品質が、無線品質が良い順番に含まれることを特徴とする請求項１９に記載の無線基地局。
【請求項２２】
前記測定結果には、前記無線基地局に通知されると判定されたキャリア以外のキャリアに関する測定結果として、キャリアアグリゲーションが行われているセルの無線品質が含まれることを特徴とする請求項１９に記載の無線基地局。
【請求項２３】
前記測定結果には、前記無線基地局に通知されると判定されたキャリア以外のキャリアに関する測定結果として、キャリアアグリゲーションが行われているセルであるサービングセルの無線品質が含まれることを特徴とする請求項１９に記載の無線基地局。
【請求項２４】
前記測定結果には、前記無線基地局に通知されると判定されたキャリア以外のキャリアに関する測定結果として、キャリアアグリゲーションが行われているセルの無線品質と、前記キャリアアグリゲーションが行われているセルではないセルで、最も無線品質が良いセルのＩＤ及び前記セルの無線品質が含まれることを特徴とする請求項１９に記載の無線基地局。
【請求項２５】
前記測定結果には、前記無線基地局に通知されると判定されたキャリア以外のキャリアに関する測定結果として、サービングセルの無線品質と、前記サービングセルではないセルで、最も無線品質が良いセルのＩＤ及び前記セルの無線品質が含まれることを特徴とする請求項１９に記載の無線基地局。
【請求項２６】
前記測定結果には、前記無線基地局に通知されると判定されたキャリア以外のキャリアに関する測定結果として、キャリアアグリゲーションが行われているセルであるサービングセルの無線品質と、前記サービングセル以外のセルで、最も無線品質が良いセルのＩＤ及び前記セルの無線品質が含まれることを特徴とする請求項１９に記載の無線基地局。
【請求項２７】
前記測定結果には、前記無線基地局に通知されると判定されたキャリア以外のキャリアに関する測定結果として、キャリアアグリゲーションが行われているセルではないセルで、最も無線品質が良いセルのＩＤ及び前記セルの無線品質が含まれることを特徴とする請求項１９に記載の無線基地局。
【請求項２８】
前記測定結果には、前記無線基地局に通知されると判定されたキャリア以外のキャリアに関する測定結果として、サービングセルではないセルで、最も無線品質が良いセルのＩＤ及び前記セルの無線品質が含まれることを特徴とする請求項１９に記載の無線基地局。
【請求項２９】
前記測定結果には、前記無線基地局に通知されると判定されたキャリア以外のキャリアに関する測定結果として、キャリアアグリゲーションが行われているセルであるサービングセルではないセルで、最も無線品質が良いセルのＩＤ及び前記セルの無線品質が含まれることを特徴とする請求項１９に記載の無線基地局。
【請求項３０】
前記無線基地局に通知されると判定されたキャリア以外のキャリアが複数存在する場合に、各キャリアに関して、所定数のセルのＩＤ及び前記セルの無線品質が、無線品質が良い順番に含まれることを特徴とする請求項１９に記載の無線基地局。
【請求項３１】
前記無線基地局に通知されると判定されたキャリア以外のキャリアが複数存在する場合に、全てのキャリアに関して、所定数のセルのＩＤ及び前記セルの無線品質が、無線品質が良い順番に含まれることを特徴とする請求項１９に記載の無線基地局。
【請求項３２】
前記測定指示部は、前記所定数を前記移動局に対して通知するように構成されていることを特徴とする請求項２１に記載の無線基地局。
【請求項３３】
前記測定指示部は、前記無線基地局に通知されると判定されたキャリア以外のキャリアを、前記移動局に対して指定するように構成されていることを特徴とする請求項１９に記載の無線基地局。
【請求項３４】
前記測定指示部は、前記測定結果を前記無線基地局に通知すると判定されたキャリア以外のキャリアに関する測定結果を通知することを指示するように構成されていることを特徴とする請求項１９に記載の無線基地局。
【請求項３５】
前記測定結果には、前記無線基地局に通知されると判定されたキャリア以外のキャリアに関する測定結果として、キャリアアグリゲーションにより通信中であるセルのＩＤ及び前記セルの無線品質が含まれることを特徴とする請求項１９に記載の無線基地局。
【請求項３６】
２つ以上のキャリアを用いて無線基地局と通信を行う移動局における通信制御方法であって、
前記２つ以上のキャリア内の各キャリアに関して、通信中のセル又は隣接セルの無線品質を測定する第１ステップと、
前記２つ以上のキャリア内の各キャリアに関して、前記測定部における測定結果を、前記無線基地局に通知するか否かを判定する第２ステップと、
前記測定結果を前記無線基地局に通知すると判定された場合に、前記測定結果を前記無線基地局に送信する第３ステップとを備え、
前記第３ステップにおいて、前記測定結果を前記無線基地局に通知すると判定されたキャリアに関する測定結果に加えて、前記キャリア以外のキャリアに関する測定結果を送信することを特徴とする通信制御方法。
【請求項３７】
２つ以上のキャリアを用いて移動局と通信を行う無線基地局における通信制御方法であって、
前記移動局に対して、通信中のセル又は隣接セルの無線品質の測定を指示する制御信号を送信する第１ステップと、
前記移動局から、前記２つ以上のキャリア内の各キャリアに関する測定結果を受信する第２ステップとを備え、
前記第２ステップにおいて、前記測定結果に前記無線基地局に通知されると判定されたキャリアに関する測定結果に加えて、前記キャリア以外のキャリアに関する測定結果が含まれることを特徴とする通信制御方法。
【請求項３８】
２つ以上のキャリアを用いて無線基地局と通信を行う移動局であって、
前記２つ以上のキャリア内の各キャリアに関して、通信中のセル又は隣接セルの無線品質を測定するように構成されている測定部と、
前記ハンドオーバ元の無線基地局からハンドオーバを指示する制御信号を受信するように構成されている受信部と、
前記ハンドオーバ先の無線基地局からハンドオーバを完了したことを通知する制御信号を送信するように構成されている送信部とを具備し、
前記送信部は、前記制御信号に加えて、ハンドオーバを行うキャリア以外のキャリアに関する測定結果を送信することを特徴とする移動局。
【請求項３９】
前記判定部によって前記測定部における測定結果を前記無線基地局に通知すると判定されたキャリア以外のキャリアは、キャリアアグリゲーションが行われているキャリアであることを特徴とする請求項１に記載の移動局。
【請求項４０】
前記無線基地局に通知されると判定されたキャリア以外のキャリアは、キャリアアグリゲーションが行われているキャリアであることを特徴とする請求項１９に記載の無線基地局。
【請求項４１】
２つ以上のキャリアを用いて移動局と通信を行う無線基地局であって、
前記移動局に対して、通信中のセル又は隣接セルの無線品質の測定を指示する制御信号を送信するように構成されている測定指示部と、
前記移動局から、前記２つ以上のキャリア内の各キャリアに関する測定結果を受信するように構成されている受信部と、
前記測定結果に基づいてハンドオーバ制御を行うハンドオーバ制御部とを具備し、
前記ハンドオーバ制御部は、前記移動局に対して、前記２つ以上のキャリアに関して、同時にハンドオーバを指示するように構成されていることを特徴とする無線基地局。
【請求項４２】
２つ以上のキャリアを用いて移動局と通信を行う無線基地局であって、
前記移動局に対して、通信中のセル又は隣接セルの無線品質の測定を指示する制御信号を送信するように構成されている測定指示部と、
前記移動局から、前記２つ以上のキャリア内の各キャリアに関する測定結果を受信するように構成されている受信部と、
前記測定結果に基づいてハンドオーバ制御を行うハンドオーバ制御部とを具備し、
前記ハンドオーバ制御部は、前記移動局に対して、前記２つ以上のキャリアの内のあるキャリアに関してハンドオーバを指示しつつ、同時に、前記２つ以上のキャリアの他のキャリアのセルを削除するように構成されていることを特徴とする無線基地局。
【請求項４３】
２つ以上のキャリアを用いて無線基地局と通信を行う移動局であって、
前記無線基地局より制御信号を受信する制御信号受信部を具備し、
前記制御信号受信部は、前記無線基地局より、前記２つ以上のキャリアに関して、同時にハンドオーバすることを指示されるように構成されていることを特徴とする移動局。
【請求項４４】
２つ以上のキャリアを用いて無線基地局と通信を行う移動局であって、
前記無線基地局より制御信号を受信する制御信号受信部を具備し、
前記制御信号受信部は、前記無線基地局より、前記２つ以上のキャリアの内のあるキャリアに関してハンドオーバを指示され、同時に、前記２つ以上のキャリアの他のキャリアのセルを削除することを指示されるように構成されていることを特徴とする移動局。
【手続補正８】
【補正対象書類名】図面
【補正対象項目名】図１４
【補正方法】変更
【補正の内容】
【図１４】
2011166713.tif 000017